(57)【要約】【課題】内燃機関運転時に改質ガスを供給する場合におけるトータルの燃費の向上を図ることのできる燃料改質装置を提供すること。【解決手段】ＥＣＵ６０に設けられる改質用燃料噴射量制御部は、改質ガス生成用の燃料である改質用燃料残量が所定量であるＱｆｕｅｌ以下に場合には、改質用燃料の噴射量を減少させる制御である供給量制限制御を行う。このため、改質用燃料は無くなり難くなるため、改質用燃料残量が少なくなった場合でも、エンジン１の運転に用いる燃料である主燃料よりも先に改質用燃料が無くなることを抑制できる。これにより、エンジン１運転時の長時間に渡って改質ガスを生成し、改質ガスを必要に応じてエンジン１に供給し続けることができるため、エンジン１に改質ガスを供給することによる改質効果を維持することができる。この結果、エンジン１運転時に改質ガスを供給する場合におけるトータルの燃費の向上を図ることができる。【選択図】        図１
2009138570.tif 000002
【特許請求の範囲】
【請求項１】
車両に搭載される内燃機関の気筒内から排出された排気ガスを浄化する浄化手段と、
改質させる元になる燃料である改質用燃料を前記排気ガスに対して供給する改質用燃料供給手段と、
前記改質用燃料供給手段で前記改質用燃料を供給する前記排気ガスの流れ方向における前記改質用燃料供給手段の下流側に位置しており、前記改質用燃料を前記浄化手段の熱を利用して吸熱反応させることにより前記気筒内で燃焼可能な改質ガスを生成する改質手段と、
前記改質用燃料供給手段で供給する前記改質用燃料を貯留する改質用燃料貯留手段と、
前記改質用燃料供給手段を制御可能に設けられており、且つ、前記改質用燃料貯留手段で貯留する前記改質用燃料の貯留量が所定量以下の場合には前記改質用燃料の貯留量が所定量より多い場合と比較して前記改質用燃料供給手段で供給する前記改質用燃料の供給量を減少させつつ前記改質ガスを前記気筒内で燃焼させることによる改質効果が高い領域で前記改質用燃料を供給する制御である供給量制限制御を行う改質用燃料供給手段制御手段と、
を備えることを特徴とする燃料改質装置。
【請求項２】
モータと共に原動手段として車両に搭載され、且つ、前記モータの電源であるバッテリの電気残量が所定量以下の場合には前記バッテリに充電をする充電運転が可能なる内燃機関の気筒内から排出された排気ガスを浄化する浄化手段と、
改質させる元になる燃料である改質用燃料を前記排気ガスに対して供給する改質用燃料供給手段と、
前記改質用燃料供給手段で前記改質用燃料を供給する前記排気ガスの流れ方向における前記改質用燃料供給手段の下流側に位置しており、前記改質用燃料を前記浄化手段の熱を利用して吸熱反応させることにより前記気筒内で燃焼可能な改質ガスを生成する改質手段と、
前記改質用燃料供給手段で供給する前記改質用燃料を貯留する改質用燃料貯留手段と、
前記改質用燃料供給手段を制御可能に設けられており、さらに、前記改質用燃料貯留手段で貯留する前記改質用燃料の貯留量が所定量以下で、且つ、前記内燃機関が前記充電運転を行わない場合には前記改質用燃料の貯留量が所定量より多い場合と比較して前記改質用燃料供給手段で供給する前記改質用燃料の供給量を減少させつつ前記改質ガスを前記気筒内で燃焼させることによる改質効果が高い領域で前記改質用燃料を供給する制御である供給量制限制御を行い、前記改質用燃料貯留手段で貯留する前記改質用燃料の貯留量が所定量以下で、且つ、前記内燃機関が前記充電運転を行う場合には前記供給量制限制御を行わない改質用燃料供給手段制御手段と、
を備えることを特徴とする燃料改質装置。
【請求項３】
前記改質用燃料供給手段制御手段は、前記排気ガスの温度が前記改質用燃料を供給するか否かの基準となる温度である改質基準温度よりも高い場合には前記改質用燃料供給手段に前記改質用燃料を供給させ、前記排気ガスの温度が前記改質基準温度よりも低い場合には前記改質用燃料供給手段による前記改質用燃料の供給を停止させる制御を行い、且つ、前記供給量制限制御は、前記供給量制限制御を行わない場合と比較して前記改質基準温度を高くすることにより前記改質用燃料供給手段で供給する前記改質用燃料の供給量を減少させつつ前記改質効果が高い領域で前記改質用燃料を供給することを特徴とする請求項１または２に記載の燃料改質装置。
【請求項４】
前記改質用燃料供給手段制御手段は、前記供給量制限制御を行う場合には前記供給量制限制御を行わない場合と比較して前記改質用燃料供給手段で供給する前記改質用燃料の単位時間当りの供給量を低減させることにより前記改質用燃料の供給量を減少させつつ前記改質効果が高い領域で前記改質用燃料を供給することを特徴とする請求項１または２に記載の燃料改質装置。
【請求項５】
前記改質用燃料供給手段制御手段は、前記供給量制限制御を行う場合には、前記内燃機関の運転がノック域の場合にのみ前記改質用燃料供給手段に前記改質用燃料を供給させることにより、前記供給量制限制御を行わない場合と比較して前記改質用燃料供給手段で供給する前記改質用燃料の供給量を減少させつつ前記改質効果が高い領域で前記改質用燃料を供給することを特徴とする請求項１または２に記載の燃料改質装置。
【請求項６】
前記改質用燃料供給手段制御手段は、前記供給量制限制御を行うか否かの判定に、前記内燃機関の運転に用いる燃料である主燃料を貯留する主燃料貯留手段での主燃料の貯留量に対する前記改質用燃料貯留手段で貯留する前記改質用燃料の貯留量の割合が所定値以下の場合に前記供給量制限制御を行うことも含めて判定することを特徴とする請求項１〜５のいずれか１項に記載の燃料改質装置。
【発明の詳細な説明】
【技術分野】
【０００１】
本発明は、燃料改質装置に関するものである。特に、この発明は、改質用燃料を噴射した排気ガスを改質触媒に流すことにより、内燃機関で燃焼可能な改質ガスを生成する燃料改質装置に関するものである。
【背景技術】
【０００２】
従来の内燃機関では、燃費の向上と運転性能の確保との両立を図るために、改質用燃料を改質して発熱量が大きい改質ガスを生成し、生成した改質ガスを内燃機関で燃焼させることにより、これらを両立させているものがある。例えば、特許文献１に記載のエンジンの燃料供給装置では、アルコールとガソリンの混合燃料からアルコールとガソリンとを分離する分離器と、分離器で分離したアルコールの一部を改質する改質器と、を備えており、分離器で分離したガソリンとアルコール及び改質ガスは、それぞれ異なる運転領域で吸気系に供給する。ガソリン、アルコール、改質ガスは、燃焼時における特性がそれぞれ異なっているため、このように運転領域に応じて供給する燃料を異ならせることにより、燃費の向上と運転性能の確保とを両立できる。
【０００３】
【特許文献１】特公平３−４３４５８号公報
【発明の開示】
【発明が解決しようとする課題】
【０００４】
燃料の改質を行う場合には、特許文献１に記載のエンジンの燃料供給装置のように分離器を設け、ガソリンとアルコールとを分離器によって分離することによりそれぞれエンジンに供給しているが、分離器を設けると構造的に複雑になり、制御も困難になる虞がある。このため、従来の燃料改質装置には、内燃機関を運転させるガソリンなどの燃料と、改質ガスを生成する際の元になるアルコールなどの改質用燃料とを、予め別々の燃料タンクなどの別々の貯留手段に貯留しているものがある。これにより、分離器を設ける必要がなくなるため、構造を簡略化することができ、また、ガソリンとアルコールとの混合燃料を分離器で分離させる必要がなくなるため、制御が容易になる。
【０００５】
しかしながら、このように内燃機関を運転させる燃料と改質用燃料とを別々の貯留手段に貯留した場合、双方の燃料の消費速度が異なる場合がある。例えば内燃機関を運転させる燃料よりも改質用燃料の方が消費速度が速く、改質用燃料の方が先に無くなった場合、改質ガスを生成できなくなるので、改質用燃料を改質することによる改質効果を得ることができなくなる。つまり、内燃機関を運転させる燃料よりも先に改質用燃料が無くなった場合、改質ガスを生成することができなくなるので、改質ガスを内燃機関に供給することができなくなり、燃費の向上などの改質効果が低減する虞があった。
【０００６】
本発明は、上記に鑑みてなされたものであって、内燃機関運転時に改質ガスを供給する場合におけるトータルの燃費の向上を図ることのできる燃料改質装置を提供することを目的とする。
【課題を解決するための手段】
【０００７】
上述した課題を解決し、目的を達成するために、この発明に係る燃料改質装置は、車両に搭載される内燃機関の気筒内から排出された排気ガスを浄化する浄化手段と、改質させる元になる燃料である改質用燃料を前記排気ガスに対して供給する改質用燃料供給手段と、前記改質用燃料供給手段で前記改質用燃料を供給する前記排気ガスの流れ方向における前記改質用燃料供給手段の下流側に位置しており、前記改質用燃料を前記浄化手段の熱を利用して吸熱反応させることにより前記気筒内で燃焼可能な改質ガスを生成する改質手段と、前記改質用燃料供給手段で供給する前記改質用燃料を貯留する改質用燃料貯留手段と、前記改質用燃料供給手段を制御可能に設けられており、且つ、前記改質用燃料貯留手段で貯留する前記改質用燃料の貯留量が所定量以下の場合には前記改質用燃料の貯留量が所定量より多い場合と比較して前記改質用燃料供給手段で供給する前記改質用燃料の供給量を減少させつつ前記改質ガスを前記気筒内で燃焼させることによる改質効果が高い領域で前記改質用燃料を供給する制御である供給量制限制御を行う改質用燃料供給手段制御手段と、を備えることを特徴とする。
【０００８】
この発明では、改質用燃料貯留手段で貯留する改質用燃料の貯留量が所定量以下である場合には、改質用燃料の供給量を減少させつつ改質ガスを気筒内で燃焼させることによる改質効果が高い領域で改質用燃料を供給する制御である供給量制限制御を行うため、内燃機関の運転に用いる燃料よりも先に改質用燃料が無くなることを抑制できる。これにより、内燃機関運転時の長時間に渡って改質ガスを生成し、改質ガスを必要に応じて内燃機関に供給し続けることができる。また、供給量制限制御では、改質効果が高い領域で改質用燃料を供給するため、改質用燃料の供給量を減少させた場合でも、内燃機関に改質ガスを供給することによる改質効果を維持することができる。この結果、内燃機関運転時に改質ガスを供給する場合におけるトータルの燃費の向上を図ることができる。
【０００９】
また、この発明に係る燃料改質装置は、モータと共に原動手段として車両に搭載され、且つ、前記モータの電源であるバッテリの電気残量が所定量以下の場合には前記バッテリに充電をする充電運転が可能なる内燃機関の気筒内から排出された排気ガスを浄化する浄化手段と、改質させる元になる燃料である改質用燃料を前記排気ガスに対して供給する改質用燃料供給手段と、前記改質用燃料供給手段で前記改質用燃料を供給する前記排気ガスの流れ方向における前記改質用燃料供給手段の下流側に位置しており、前記改質用燃料を前記浄化手段の熱を利用して吸熱反応させることにより前記気筒内で燃焼可能な改質ガスを生成する改質手段と、前記改質用燃料供給手段で供給する前記改質用燃料を貯留する改質用燃料貯留手段と、前記改質用燃料供給手段を制御可能に設けられており、さらに、前記改質用燃料貯留手段で貯留する前記改質用燃料の貯留量が所定量以下で、且つ、前記内燃機関が前記充電運転を行わない場合には前記改質用燃料の貯留量が所定量より多い場合と比較して前記改質用燃料供給手段で供給する前記改質用燃料の供給量を減少させつつ前記改質ガスを前記気筒内で燃焼させることによる改質効果が高い領域で前記改質用燃料を供給する制御である供給量制限制御を行い、前記改質用燃料貯留手段で貯留する前記改質用燃料の貯留量が所定量以下で、且つ、前記内燃機関が前記充電運転を行う場合には前記供給量制限制御を行わない改質用燃料供給手段制御手段と、を備えることを特徴とする。
【００１０】
この発明では、改質用燃料貯留手段で貯留する改質用燃料の貯留量が所定量以下で、且つ、内燃機関が充電運転を行わない場合には、改質用燃料の供給量を減少させるため、内燃機関運転時の長時間に渡って改質ガスを生成することができる。また、この場合には、改質効果が高い領域で改質用燃料を供給するため、改質用燃料の供給量を減少させた場合でも、内燃機関に改質ガスを供給することによる改質効果を維持することができ、内燃機関運転時に改質ガスを供給する場合におけるトータルの燃費の向上を図ることができる。
【００１１】
また、改質用燃料貯留手段で貯留する改質用燃料の貯留量が所定量以下で、且つ、内燃機関が充電運転を行う場合には、供給量制限制御を行わないため、熱効率が低い状態での燃費を向上させることができる。つまり、内燃機関の運転は、通常運転時に熱効率が高くなるように制御されるが、充電運転時には、通常運転時よりも多くの発電を行う必要があるため、通常運転時よりも大きなトルクを出力する状態で運転する。このため、充電運転時の熱効率は、通常運転時よりも熱効率が低くなる。そこで、充電運転時には、改質ガスを供給することによる改質効果が、通常運転時よりも高くなる。また、このように熱効率が低い充電運転時には供給量制限制御を行わず、改質用燃料を供給し続けることにより、熱効率が低い運転状態で運転することによる燃費の悪化などを抑制できる。この結果、より確実に内燃機関運転時に改質ガスを供給する場合におけるトータルの燃費の向上を図ることができる。
【００１２】
また、この発明に係る燃料改質装置は、前記改質用燃料供給手段制御手段は、前記排気ガスの温度が前記改質用燃料を供給するか否かの基準となる温度である改質基準温度よりも高い場合には前記改質用燃料供給手段に前記改質用燃料を供給させ、前記排気ガスの温度が前記改質基準温度よりも低い場合には前記改質用燃料供給手段による前記改質用燃料の供給を停止させる制御を行い、且つ、前記供給量制限制御は、前記供給量制限制御を行わない場合と比較して前記改質基準温度を高くすることにより前記改質用燃料供給手段で供給する前記改質用燃料の供給量を減少させつつ前記改質効果が高い領域で前記改質用燃料を供給することを特徴とする。
【００１３】
この発明では、供給量制限制御は、改質用燃料を供給するか否かの判定に用いる改質基準温度を高くすることにより行うため、改質効果が高い領域でのみ改質用燃料を供給できる。詳しくは、改質手段は一般的に吸熱反応により改質用燃料を改質するため、改質用燃料を改質することができる温度領域は所定の温度以上の領域になっている。さらに、このような改質手段は、低温領域よりも高温領域の方が改質を行い易く、改質ガスを生成し易くなっている。このため、供給量制限制御を行う際には、改質基準温度を高くすることによって行うことにより、改質ガスをより多く生成することのできる温度領域でのみ改質用燃料を供給するので、燃費の向上などの改質効果が高い。この結果、より確実に内燃機関運転時に改質ガスを供給する場合におけるトータルの燃費の向上を図ることができる。
【００１４】
また、この発明に係る燃料改質装置は、前記改質用燃料供給手段制御手段は、前記供給量制限制御を行う場合には前記供給量制限制御を行わない場合と比較して前記改質用燃料供給手段で供給する前記改質用燃料の単位時間当りの供給量を低減させることにより前記改質用燃料の供給量を減少させつつ前記改質効果が高い領域で前記改質用燃料を供給することを特徴とする。
【００１５】
この発明では、供給量制限制御は、改質用燃料供給手段で供給する改質用燃料の単位時間当りの供給量を低減させることにより行うため、内燃機関運転時の長時間に渡って改質ガスを生成することができる。また、改質用燃料の単位時間当りの供給量を低減した場合、改質効果自体は低減するが、低減の度合いは改質用燃料の低減量とは比例しておらず、改質効果の低減の度合いは、改質用燃料の低減の度合いよりも小さくなっている。このため、改質用燃料を低減させた場合でも、この低減量に対して燃費の悪化は比較的小さくなっており、換言すると、改質用燃料を低減した場合でも改質効果はあまり低下しないため、改質効果が高い領域で改質用燃料を供給することになる。従って、改質用燃料の供給量を減少させた場合でも、燃費が悪化することを抑制できる。この結果、内燃機関運転時に改質ガスを供給する場合におけるトータルの燃費の向上を図ることができる。
【００１６】
また、この発明に係る燃料改質装置は、前記改質用燃料供給手段制御手段は、前記供給量制限制御を行う場合には、前記内燃機関の運転がノック域の場合にのみ前記改質用燃料供給手段に前記改質用燃料を供給させることにより、前記供給量制限制御を行わない場合と比較して前記改質用燃料供給手段で供給する前記改質用燃料の供給量を減少させつつ前記改質効果が高い領域で前記改質用燃料を供給することを特徴とする。
【００１７】
この発明では、供給量制限制御は、内燃機関の運転がノック域の場合にのみ改質用燃料を供給させることにより行うため、改質効果が高い領域でのみ改質用燃料を供給できる。詳しくは、改質ガスを内燃機関に供給した場合、ノッキングの改善効果もあるため、内燃機関の運転が、ノッキングが発生する領域であるノック域の場合に改質用燃料を供給することにより、改質ガスによってノッキングを抑制することができる。このため、供給量制限制御を行う際には、内燃機関の運転がノック域の場合にのみ改質用燃料を供給させることによって行うことにより、少量の改質用燃料で高い改質効果を得ることができる。この結果、内燃機関運転時に改質ガスを供給する場合におけるトータルの燃費の向上を図りつつ、ノッキングの抑制を図ることができる。
【００１８】
また、この発明に係る燃料改質装置は、前記改質用燃料供給手段制御手段は、前記供給量制限制御を行うか否かの判定に、前記内燃機関の運転に用いる燃料である主燃料を貯留する主燃料貯留手段での主燃料の貯留量に対する前記改質用燃料貯留手段で貯留する前記改質用燃料の貯留量の割合が所定値以下の場合に前記供給量制限制御を行うことも含めて判定することを特徴とする。
【００１９】
この発明では、供給量制限制御を行うか否かの判定を行う際に、主燃料貯留手段での主燃料の貯留量に対する改質用燃料貯留手段で貯留する改質用燃料の貯留量の割合を含めて判定している。つまり、上述した発明における供給量制限制御を、さらに主燃料貯留手段で貯留する主燃料の貯留量に対する改質用燃料貯留手段で貯留する改質用燃料の貯留量の割合が所定値よりも大きい場合には、供給量制限制御を行わないものとしている。このため、改質用燃料の貯留量が少ない場合でも、主燃料の貯留量が少ない場合には、改質用燃料と主燃料とは、同程度の時期に無くなるため、改質用燃料が無く、改質ガスが生成されない状態で内燃機関を運転する状態になることを抑制できる。従って、改質用燃料の貯留量が少なくなった場合でも主燃料の貯留量も少ない場合には、改質用燃料を供給するので、改質効果を得る時間が長くなる。この結果、より確実に内燃機関運転時に改質ガスを供給する場合におけるトータルの燃費の向上を図ることができる。
【発明の効果】
【００２０】
本発明に係る燃料改質装置は、内燃機関運転時に改質ガスを供給する場合におけるトータルの燃費の向上を図ることができる、という効果を奏する。
【発明を実施するための最良の形態】
【００２１】
以下に、本発明に係る燃料改質装置の実施例を図面に基づいて詳細に説明する。なお、この実施例によりこの発明が限定されるものではない。また、下記実施例における構成要素には、当業者が置換可能かつ容易なもの、或いは実質的に同一のものが含まれる。
【実施例１】
【００２２】
図１は、実施例１に係る燃料改質装置を備えるエンジンの全体構成図である。同図に示す燃料改質装置３は、内燃機関であるエンジン１に備えられている。燃料改質装置３が備えられているエンジン１は、４つの気筒５が直列に配置されている。また、このエンジン１には、気筒５内に連通すると共に気筒５内に吸入される空気が流れる通路である吸気通路１０と、気筒５内で燃料を燃焼させた後、気筒５内から排出される排気ガスが流れる排気通路２０とが接続されている。これらの吸気通路１０と排気通路２０とは、気筒５の数に合わせてそれぞれ４つの通路に分岐しており、分岐した通路が４つの気筒５に対応し、気筒５内に連通してエンジン１に接続されている。
【００２３】
この吸気通路１０と排気通路２０とのうち吸気通路１０には、エンジン１の運転時に気筒５に対してエンジン１の運転に用いる燃料である主燃料を供給可能な主燃料供給手段であるインジェクタ１１が配設されている。このインジェクタ１１は、エンジン１の運転時に気筒５内に主燃料を噴射することにより、気筒５に対して主燃料を供給可能に設けられている。また、吸気通路１０を流れる空気の流れ方向におけるインジェクタ１１の上流側には、吸気通路１０内を開閉可能なスロットルバルブ１２が配設されており、スロットルバルブ１２のさらに上流側には、吸気通路１０内を流れる空気の流量を検出可能なエアフロメータ１３が設けられている。このように形成される吸気通路１０の入口には、吸気通路１０に流入する空気中の不純物を除去するエアクリーナ１４が設けられている。
【００２４】
また、排気通路２０には、排気ガスの成分を検出可能な排気ガス成分検出手段であるＯ２センサ３５が設けられており、さらに、排気ガスを浄化し、且つ、改質用燃料の改質を行う触媒部３０が備えられている。この触媒部３０には、排気ガスを浄化する浄化手段である浄化触媒３１が内設されている。さらに、触媒部３０には、改質用の燃料である改質用燃料より、気筒５内で燃焼可能な改質ガスを生成する改質手段である改質触媒３２が内設されている。この改質触媒３２は、触媒部３０に内設される浄化触媒３１の周囲に配設されており、例えばロジウム系の触媒が用いられている。また、触媒部３０には、浄化触媒３１の温度を検出可能な浄化手段温度検出手段である浄化触媒温度センサ３６が備えられている。
【００２５】
また、排気通路２０は、排気通路２０内を流れる排気ガスの流れ方向における触媒部３０の上流で通路が分岐しており、分岐した通路のうち、一方の通路は排気通路２０の主となる通路である排気主通路２１となっている。また、排気通路２０の分岐した通路のうち、他方の通路は改質用通路２２となっている。この改質用通路２２は、一端が排気主通路２１に接続され、他端が触媒部３０に接続されている。このように形成される改質用通路２２には、改質させる元になる燃料である改質用燃料を排気ガスに対して供給可能な改質用燃料供給手段である改質用燃料インジェクタ２５が設けられている。この改質用燃料インジェクタ２５は、改質用燃料を改質用通路２２内に噴射することにより、改質用燃料を排気ガスに対して供給可能になっている。
【００２６】
また、改質用燃料インジェクタ２５が設けられる改質用通路２２は、一端が排気主通路２１に接続され、他端が触媒部３０に接続されており、改質用通路２２内を流れる排気ガスは、排気主通路２１に接続されている側から触媒部３０に接続されている側に流れる。このため、改質用燃料インジェクタ２５は、改質用通路２２内を流れる排気ガスの流れ方向における触媒部３０の上流側に位置している。このため、換言すると、触媒部３０に設けられる改質触媒３２は、改質用燃料インジェクタ２５で改質用燃料を供給する排気ガスの流れ方向における改質用燃料インジェクタ２５の下流側に位置している。
【００２７】
また、触媒部３０にはＥＧＲガス通路４０が接続されており、このＥＧＲガス通路４０は、排気ガスが流れる方向において触媒部３０と吸気通路１０との間に設けられている。つまり、ＥＧＲガス通路４０は、触媒部３０と吸気通路１０とを接続している。このように設けられるＥＧＲガス通路４０は、触媒部３０からＥＧＲガス通路４０に流れた排気ガス及び改質触媒３２で生成した改質ガスが、触媒部３０側から吸気通路１０側に流れることができるように形成されている。即ち、ＥＧＲガス通路４０は、改質ガスを気筒５の吸気通路１０に流入させることが可能な還流通路となっている。
【００２８】
また、当該ＥＧＲガス通路４０には、ＥＧＲガス通路４０を流れる排気ガスや改質ガスを冷却可能な冷却手段であるＥＧＲクーラ４１が設けられている。ＥＧＲクーラ４１は、エンジン１を循環し、当該エンジン１を搭載する車両（図示省略）の運転時にエンジン１を冷却する冷却媒体である冷却水（図示省略）と、排気ガス及び改質ガスとの間で熱交換を行うことができるように形成されており、排気ガス及び改質ガスは、冷却水との間で熱交換を行うことにより温度が低下する。
【００２９】
また、ＥＧＲガス通路４０には、ＥＧＲクーラ４１が設けられている部分と吸気通路１０に接続されている部分との間の部分、即ち、ＥＧＲガス通路４０における吸気通路１０に接続されている部分の近傍に、ＥＧＲガス通路４０内を開閉可能なＥＧＲガス流量調整バルブ４２が配設されている。
【００３０】
また、このように設けられるＥＧＲガス通路４０と改質用通路２２とは、双方の通路が接続される触媒部３０を挟んで直線状に形成されている。詳しくは、ＥＧＲガス通路４０と改質用通路２２とは、排気主通路２１内を流れる排気ガスの流れ方向に対して略直交する方向で触媒部３０に接続されており、さらに、ＥＧＲガス通路４０と改質用通路２２とは、触媒部３０に対して互いに略対向する位置に接続されている。これにより、ＥＧＲガス通路４０と改質用通路２２とにおける触媒部３０に接続されている部分は、触媒部３０を挟んで直線状に形成されている。
【００３１】
このように形成される排気通路２０は、排気主通路２１を流れる排気ガスの流れ方向における触媒部３０の下流側にも設けられている。即ち、排気通路２０は、排気ガスの流れ方向における触媒部３０の上流側から下流側にかけて連通して形成されている。また、排気通路２０には、排気主通路２１を流れる排気ガスの流れ方向における触媒部３０の下流側の位置に、排気通路２０内を流れる排気ガスの温度を検出可能な排気ガス温度検出手段である排気温度センサ３７が設けられている。
【００３２】
また、吸気通路１０に設けられたインジェクタ１１は、エンジン１を搭載する車両に設けられ、主燃料を貯留する主燃料タンク５１に接続されている。この主燃料タンク５１は、主燃料タンク５１内の主燃料を外部に送出可能な主燃料フィードポンプ５２を備えており、主燃料タンク５１内の主燃料は、この主燃料フィードポンプ５２によってインジェクタ１１に供給可能に設けられている。また、この主燃料タンク５１には、当該主燃料タンク５１内に貯留されている主燃料の残量を検出可能な主燃料残量検出手段である主燃料残量センサ５３が設けられている。なお、実施例１に係る燃料改質装置３では、主燃料タンク５１に貯留される主燃料、即ち、エンジン１の運転に用いられる燃料は、ガソリンとアルコール燃料とが混合された燃料となっている。
【００３３】
同様に、改質用通路２２に設けられた改質用燃料インジェクタ２５は、改質用燃料を貯留する改質用燃料タンク５５に接続されている。この改質用燃料タンク５５は、改質用燃料タンク５５内の改質用燃料を外部に送出可能な改質用燃料フィードポンプ５６を備えており、改質用燃料タンク５５内の改質用燃料は、この改質用燃料フィードポンプ５６によって改質用燃料インジェクタ２５に供給可能に設けられている。また、この改質用燃料タンク５５には、当該改質用燃料タンク５５内に貯留されている改質用燃料の残量を検出可能な改質用燃料残量検出手段である改質用燃料残量センサ５７が設けられている。なお、実施例１に係る燃料改質装置３では、改質用燃料タンク５５に貯留される改質用燃料、即ち、改質触媒３２で改質される改質用燃料は、アルコール燃料となっている。
【００３４】
これらのインジェクタ１１及び改質用燃料インジェクタ２５、スロットルバルブ１２、ＥＧＲガス流量調整バルブ４２、エアフロメータ１３、Ｏ２センサ３５、浄化触媒温度センサ３６、排気温度センサ３７、主燃料残量センサ５３、改質用燃料残量センサ５７は、車両の各部を制御するＥＣＵ（Electronic Control Unit）６０に接続されている。
【００３５】
図２は、図１に示す燃料改質装置の要部構成図である。ＥＣＵ６０には、処理部６１、記憶部７５及び入出力部７６が設けられており、これらは互いに接続され、互いに信号の受け渡しが可能になっている。また、ＥＣＵ６０に接続されているインジェクタ１１、改質用燃料インジェクタ２５、スロットルバルブ１２、ＥＧＲガス流量調整バルブ４２、エアフロメータ１３、Ｏ２センサ３５、浄化触媒温度センサ３６、排気温度センサ３７、主燃料残量センサ５３、改質用燃料残量センサ５７は、入出力部７６に接続されており、入出力部７６は、これらのスロットルバルブ１２や浄化触媒温度センサ３６等との間で信号の入出力を行う。また、記憶部７５には、実施例１に係る燃料改質装置３を制御するコンピュータプログラムが格納されている。この記憶部７５は、ハードディスク装置や光磁気ディスク装置、またはフラッシュメモリ等の不揮発性のメモリ（ＣＤ−ＲＯＭ等のような読み出しのみが可能な記憶媒体）や、ＲＡＭ（Random Access Memory）のような揮発性のメモリ、或いはこれらの組み合わせにより構成することができる。
【００３６】
また、処理部６１は、メモリ及びＣＰＵ（Central Processing Unit）により構成されており、スロットルバルブ１２の開閉の制御が可能なスロットルバルブ制御部６２と、エアフロメータ１３での検出結果より運転中のエンジン１の吸入空気量を取得可能な吸入空気量取得部６３と、を有している。
【００３７】
また、処理部６１は、インジェクタ１１を制御することによりインジェクタ１１から噴射する主燃料の噴射量を制御可能な主燃料供給手段制御手段である主燃料噴射量制御部６４と、改質用燃料インジェクタ２５を制御可能に設けられていると共に改質用燃料インジェクタ２５を制御することにより改質用燃料インジェクタ２５から噴射する改質用燃料の噴射量を制御に設けられており、且つ、改質用燃料タンク５５で貯留する改質用燃料の貯留量が所定量以下の場合には改質用燃料の貯留量が所定量より多い場合と比較して改質用燃料インジェクタ２５で噴射する改質用燃料の噴射量を減少させつつ改質ガスを気筒５内で燃焼させることによる改質効果が高い領域で改質用燃料を噴射する制御である供給量制限制御を行う改質用燃料供給手段制御手段である改質用燃料噴射量制御部６５と、ＥＧＲガス流量調整バルブ４２の開閉の制御が可能なＥＧＲガス流量調整バルブ制御部６６と、を有している。
【００３８】
また、処理部６１は、主燃料残量センサ５３での検出結果より、主燃料タンク５１内に貯留されている主燃料の残量を取得する主燃料残量取得手段である主燃料残量取得部６７と、改質用燃料残量センサ５７での検出結果より、改質用燃料タンク５５内に貯留されている改質用燃料の残量を取得する改質用燃料残量取得手段である改質用燃料残量取得部６８と、排気温度センサ３７での検出結果より、排気ガスの温度、即ち排気温度を取得する排気ガス温度取得手段である排気温度取得部６９と、改質用燃料残量取得部６８で取得した改質用燃料の残量が所定量よりも多いか否かを判定する改質用燃料残量判定部７０と、を有している。
【００３９】
ＥＣＵ６０によって制御される燃料改質装置３の制御は、例えば、排気温度センサ３７などによる検出結果に基づいて、処理部６１が上記コンピュータプログラムを当該処理部６１に組み込まれたメモリに読み込んで演算し、演算の結果に応じてＥＧＲガス流量調整バルブ４２などを作動させることにより制御する。その際に処理部６１は、適宜記憶部７５へ演算途中の数値を格納し、また格納した数値を取り出して演算を実行する。なお、このように燃料改質装置３を制御する場合には、上記コンピュータプログラムの代わりに、ＥＣＵ６０とは異なる専用のハードウェアによって制御してもよい。
【００４０】
この実施例１に係る燃料改質装置３は、以上のごとき構成からなり、以下、その作用について説明する。実施例１に係る燃料改質装置３が搭載される車両は、運転時には車両の室内に設けられるアクセルペダル（図示省略）の開度に応じて、ＥＣＵ６０の処理部６１が有するスロットルバルブ制御部６２がスロットルバルブ１２の開度を制御する。これにより、吸気通路１０にはスロットルバルブ１２の開度に応じた空気が流れる。吸気通路１０に空気が流れた場合、この空気の流量をエアフロメータ１３で検出し、エアフロメータ１３での検出結果をＥＣＵ６０の処理部６１が有する吸入空気量取得部６３で取得する。
【００４１】
吸入空気量取得部６３で取得した吸入空気量は、アクセルペダルの開度などの運転状態に関する情報と共にＥＣＵ６０の処理部６１が有する主燃料噴射量制御部６４に伝達され、伝達された運転状態に関する情報に応じて主燃料噴射量制御部６４によってインジェクタ１１を制御し、インジェクタ１１を作動させる。エンジン１の運転時には、インジェクタ１１には、主燃料タンク５１が備える主燃料フィードポンプ５２によって主燃料タンク５１内の主燃料が供給されるため、主燃料噴射量制御部６４がインジェクタ１１を作動させることにより、インジェクタ１１は、主燃料噴射量制御部６４での制御に応じた主燃料を吸気通路１０内に噴射する。
【００４２】
このように、吸気通路１０内に対してインジェクタ１１から主燃料を噴射することにより、噴射した主燃料は吸気通路１０内を流れる空気と混合し、混合気となって吸気通路１０内を流れる。吸気通路１０内を流れる混合気は、分岐して形成される吸気通路１０に沿って分岐し、エンジン１が有する４つの気筒５内に吸入される。
【００４３】
気筒５内に吸入された混合気は、それぞれの気筒５の燃焼行程で混合気中の主燃料が燃焼し、燃焼後の排気ガスは、排気行程で気筒５内から排気通路２０に流出する。排気通路２０に排気ガスが流れた場合、排気ガスの大部分は排気通路２０の排気主通路２１を通り、触媒部３０に流れて触媒部３０に設けられる浄化触媒３１に流れる。浄化触媒３１に流れた排気ガスは浄化触媒３１によって浄化され、排気ガスの流れ方向における触媒部３０の下流側に位置する排気通路２０に流れて大気に放出される。また、このように排気ガスが浄化触媒３１を通過する際には、浄化触媒３１には排気ガスの熱が伝達されるため、浄化触媒３１は、排気ガスの熱により温度が上昇する。
【００４４】
一方、排気通路２０を流れる排気ガスのうち、一部の排気ガスは改質用通路２２に流れる。改質用通路２２には、このように一部の排気ガスが流れるが、この改質用通路２２には改質用燃料インジェクタ２５が設けられている。改質用燃料インジェクタ２５は、改質用通路２２内を流れる排気ガスに対して改質用燃料を噴射可能に設けられており、その噴射量は、ＥＣＵ６０の処理部６１が有する改質用燃料噴射量制御部６５によって制御可能に設けられている。つまり、改質用燃料噴射量制御部６５は改質用燃料インジェクタ２５を制御することにより改質用燃料インジェクタ２５を作動させることができるが、この改質用燃料インジェクタ２５には、改質用燃料タンク５５が備える改質用燃料フィードポンプ５６によって改質用燃料タンク５５内の改質用燃料が供給される。このため、改質用燃料噴射量制御部６５が改質用燃料インジェクタ２５を作動させることにより、改質用燃料インジェクタ２５は、改質用燃料噴射量制御部６５での制御に応じた改質用燃料を改質用通路２２内に噴射する。
【００４５】
また、エンジン１の運転中は、排気温度センサ３７での検出結果よりＥＣＵ６０の処理部６１が有する排気温度取得部６９で排気ガスの温度である排気温度を取得する。改質用燃料インジェクタ２５を制御する改質用燃料噴射量制御部６５は、排気温度取得部６９で取得した排気温度が、改質用燃料を噴射するか否かの基準となる温度である改質基準温度よりも高い場合には改質用燃料インジェクタ２５に改質用燃料を噴射させ、排気温度取得部６９で取得した排気温度が改質基準温度よりも低い場合には改質用燃料インジェクタ２５による改質用燃料の噴射を停止させる制御を行う。
【００４６】
改質用燃料噴射量制御部６５によって制御されることにより改質用燃料インジェクタ２５が改質用燃料を噴射した場合、改質用燃料は改質用通路２２を流れる排気ガスと混合し、混合した状態で触媒部３０に流入する。このように、改質用燃料と混合した状態で触媒部３０に流入した排気ガスは、触媒部３０に設けられている改質触媒３２を通過する。
【００４７】
ここで、改質触媒３２は、浄化触媒３１の周囲に配設されて浄化触媒３１と一体となって触媒部３０に内設されているが、浄化触媒３１は、排気主通路２１から流れる排気ガスの熱が伝達されることにより、温度が高くなっている。このため、このように温度が高くなった浄化触媒３１の熱は改質触媒３２に伝達され、改質触媒３２の温度も上昇する。これにより、改質用燃料と混合した排気ガスが改質触媒３２を通過する際には、改質触媒３２は、排気ガスに熱を与えながら、改質用燃料が混合した排気ガスを改質し、改質ガスを生成する。
【００４８】
つまり、改質触媒３２は、浄化触媒３１を介して排気ガスの熱が伝達されることにより温度が上昇するが、改質触媒３２の作用で排気ガス及び改質用燃料を改質する際には、この熱を利用し、吸熱反応により改質する。このように、触媒部３０に内設される改質触媒３２は、浄化触媒３１が排気ガスを浄化する際に排気ガスから伝達される熱を利用して、排気ガス及び改質用燃料を改質し、改質ガスを生成可能に設けられている。この改質により生成した改質ガスは、水素や一酸化炭素を含んでおり、燃焼可能な気体となっている。
【００４９】
このように改質用燃料を改質触媒３２で改質することにより生成した改質ガス、及び改質ガスに改質されずに改質触媒３２を通過する排気ガスは、エンジン１に還流する還流ガスであるＥＧＲガスとして、ＥＧＲガス通路４０に流れる。ＥＧＲガス通路４０に流れたＥＧＲガスは、ＥＧＲクーラ４１を通過する。その際に、ＥＧＲクーラ４１は、ＥＧＲガスと冷却水との間で熱交換を行わせる。これにより、ＥＧＲガスは、温度が低下する。
【００５０】
ＥＧＲクーラ４１によって温度が低下したＥＧＲガスは、さらにＥＧＲガス通路４０を流れ、ＥＧＲガス流量調整バルブ４２の方向に向かう。このＥＧＲガス流量調整バルブ４２は、ＥＣＵ６０の処理部６１が有するＥＧＲガス流量調整バルブ制御部６６によって制御可能に設けられており、ＥＧＲガス流量調整バルブ制御部６６は、ＥＧＲガス流量調整バルブ４２を制御することによりＥＧＲガス流量調整バルブ４２の開度を調整する。
【００５１】
ここで、ＥＧＲガス流量調整バルブ４２が設けられるＥＧＲガス通路４０は、吸気通路１０に接続されているが、吸気通路１０内を流れる空気とＥＧＲガス通路４０内を流れるＥＧＲガスとでは、ＥＧＲガス通路４０内を流れるＥＧＲガスの方が、吸気通路１０内を流れる空気よりも圧力が高くなっている。このため、吸気通路１０とＥＧＲガス通路４０とが連通した状態では、ＥＧＲガス通路４０内を流れるＥＧＲガスは、吸気通路１０内に流入する。
【００５２】
従って、ＥＧＲガス流量調整バルブ制御部６６によってＥＧＲガス流量調整バルブ４２を制御し、ＥＧＲガス流量調整バルブ４２の開度を大きくした場合には、ＥＧＲガス通路４０内を流れるＥＧＲガスの吸気通路１０内への流入量は多くなり、ＥＧＲガス流量調整バルブ４２の開度を小さくした場合には、吸気通路１０内へのＥＧＲガスの流入量は少なくなる。
【００５３】
吸気通路１０には、このようにＥＧＲガス流量調整バルブ４２の開度に応じた量のＥＧＲガスが流れるが、このＥＧＲガスには改質ガスが含まれており、さらに改質ガスには、水素や一酸化炭素などの燃焼可能なガスが含まれている。このため、ＥＧＲガスが流入した気筒５内で燃料が燃焼する場合には、燃料と共に改質ガスも燃焼する。特に、水素は急速燃焼をするガスであるため、水素が燃焼をする際には、気筒５内の水素は急速な燃焼速度で燃焼する。
【００５４】
また、これらのように気筒５内で燃焼する改質ガスは、エンジン１の運転に用いられる主燃料であるガソリンとアルコール燃料との混合燃料よりも発熱量が高いため、改質ガスが燃焼した際には、エンジン１の出力は増加する。従って、ＥＧＲガスに含まれる改質ガスを燃焼させる場合において、エンジン１の出力を一定にする場合には、改質ガスを燃焼させない場合と比較してスロットルバルブ１２は閉じ、インジェクタ１１から噴射する主燃料の噴射量を低減させる。
【００５５】
また、エンジン１の運転中は、主燃料残量センサ５３での検出結果より、主燃料タンク５１内に貯留されている主燃料の貯留量である主燃料残量を、ＥＣＵ６０の処理部６１が有する主燃料残量取得部６７で取得する。同様に、改質用燃料残量センサ５７での検出結果より、改質用燃料タンク５５内に貯留されている改質用燃料の貯留量である改質用燃料残量を、ＥＣＵ６０の処理部６１が有する改質用燃料残量取得部６８で取得する。改質用燃料残量取得部６８は、このように改質用燃料を取得するが、改質用燃料噴射量制御部６５は、改質用燃料残量取得部６８で取得した改質用燃料残量が所定量以下の場合には供給量制限制御を行い、改質用燃料インジェクタ２５で噴射する改質用燃料の噴射量を減少させる。
【００５６】
図３は、実施例１に係る燃料改質装置で供給量制限制御を行う場合の排気温度と燃費向上効果との関係を示す説明図である。図３における横軸は、エンジン１から排出される排気ガスの温度を示しており、縦軸は燃料改質装置３でエンジン１に改質ガスを供給した場合における燃費向上効果の大きさを示している。改質用燃料噴射量制御部６５で供給量制限制御を行う場合、具体的には、供給量制限制御を行わない場合と比較して改質基準温度を高くすることにより、改質用燃料インジェクタ２５で噴射する改質用燃料の噴射量を減少させる。
【００５７】
つまり、改質用燃料残量が所定量より多い場合には、改質用燃料を噴射するか否かの基準となる温度である改質基準温度は、排気ガスに改質用燃料を噴射した場合に改質触媒３２で改質用燃料を改質することのできる排気温度である改質可能排気温度にする。これにより、改質用燃料インジェクタ２５は、排気温度が改質可能温度以上の場合に改質用燃料を噴射する。
【００５８】
これに対し、改質用燃料残量が所定量以下の場合には、改質基準温度は、排気ガスに改質用燃料を噴射した場合に、改質触媒３２でより多くの改質用燃料を改質することができ、より多くの改質ガスを生成することができる排気温度である高改質効果排気温度にする。ここで、排気ガスに改質用燃料を噴射した場合、改質用燃料は排気温度が高くなるに従って改質触媒３２で改質され易くなる。即ち、改質用燃料は排気温度が高くなるに従って改質されて改質ガスが多く生成され易くなるため、図３の改質効果線８３で示すように、排気温度が高くなるに従って、改質ガスがエンジン１に供給されることによる燃費向上効果が大きくなる。高改質効果排気温度８２は、このように改質ガスが多く生成されることによる燃費向上効果などの改質効果が高くなる排気温度であり、その温度は改質可能排気温度８１よりも高くなっている。
【００５９】
改質用燃料残量が所定量以下の場合には、改質基準温度をこの高改質効果排気温度８２にすることにより、改質用燃料インジェクタ２５は、排気温度が高改質効果排気温度８２以上の場合に改質用燃料を噴射する。
【００６０】
このように、改質基準温度を高改質効果排気温度８２にした場合には、改質基準温度を改質可能排気温度８１にした場合と比較して改質用燃料を噴射する領域が、排気温度が高温の領域である場合のみに限定される。このため、改質用燃料の噴射量を総合的に見た場合、改質用燃料インジェクタ２５で噴射する改質用燃料の噴射量は減少する。従って、改質用燃料噴射量制御部６５は、改質用燃料残量取得部６８で取得した改質用燃料残量が所定量以下の場合には、改質基準温度を高くすることにより、改質用燃料インジェクタ２５で噴射する改質用燃料の噴射量を減少させつつ、改質ガスを気筒５内で燃焼させることによる改質効果が高い領域で改質用燃料を噴射させる。
【００６１】
図４は、実施例１に係る燃料改質装置の処理手順を示すフロー図である。次に、実施例１に係る燃料改質装置３の制御方法、即ち、当該燃料改質装置３の処理手順について説明する。実施例１に係る燃料改質装置３の処理手順では、まず、排気温度を取得する（ステップＳＴ１０１）。この取得は、排気温度センサ３７で検出する排気温度の検出結果が、ＥＣＵ６０の処理部６１が有する排気温度取得部６９に伝達され、排気温度取得部６９で取得する。
【００６２】
次に、改質用燃料残量を取得する（ステップＳＴ１０２）。この取得は、改質用燃料残量センサ５７で検出する改質用燃料残量の検出結果が、ＥＣＵ６０の処理部６１が有する改質用燃料残量取得部６８に伝達され、改質用燃料残量取得部６８で取得する。
【００６３】
次に、改質用燃料残量＞Ｑｆｕｅｌであるかを判定する（ステップＳＴ１０３）。この判定は、改質用燃料残量取得部６８で取得した改質用燃料残量が、当該改質用燃料残量が多いか少ないかを判定する所定量であるＱｆｕｅｌより多いか否かを、ＥＣＵ６０の処理部６１が有する改質用燃料残量判定部７０で判定する。この判定を行う際には、改質用燃料残量取得部６８で取得した改質用燃料残量が改質用燃料残量判定部７０に伝達され、改質用燃料残量判定部７０で改質用燃料残量とＱｆｕｅｌとを比較する。なお、この判定に用いるＱｆｕｅｌは、改質用燃料タンク５５内の改質用燃料残量が十分であるか否かを判断する所定量として、予めＥＣＵ６０の記憶部７５に記憶されている。
【００６４】
改質用燃料残量判定部７０での判定（ステップＳＴ１０３）により、改質用燃料残量はＱｆｕｅｌよりも多いと判定された場合には、改質基準温度を改質可能排気温度にする（ステップＳＴ１０４）。この改質基準温度の設定は、改質用燃料噴射量制御部６５で行う。なお、改質基準温度に代入される改質可能排気温度は、排気ガスに改質用燃料を噴射した場合に改質触媒３２で改質用燃料を改質することのできる排気温度として、予めＥＣＵ６０の記憶部７５に記憶されている。
【００６５】
次に、改質基準温度以上の領域で、改質用燃料を噴射する（ステップＳＴ１０５）。この制御は、排気温度取得部６９で取得した排気温度が改質基準温度以上の場合、改質用燃料噴射量制御部６５で改質用燃料インジェクタ２５を制御して改質ガスを噴射する。つまり、排気温度が改質基準温度以上の領域で改質用燃料を噴射し、改質触媒３２で改質させることにより改質ガスを生成する。この場合、改質基準温度は改質可能排気温度であるため、換言すると、排気温度が改質可能排気温度以上の場合に、改質用燃料を噴射し、改質ガスを生成する。改質用燃料を噴射する制御を行った後は、この処理手順から抜け出る。
【００６６】
これに対し、改質用燃料残量判定部７０での判定（ステップＳＴ１０３）により、改質用燃料残量はＱｆｕｅｌ以下であると判定された場合には、改質基準温度を高改質効果排気温度にする（ステップＳＴ１０６）。この改質基準温度の設定は、改質用燃料噴射量制御部６５で行う。なお、改質基準温度に代入される高改質効果排気温度は、排気ガスに改質用燃料を噴射した場合に、改質触媒３２でより多くの改質用燃料を改質することができ、より多くの改質ガスを生成することができる排気温度として、改質可能排気温度と同様に予めＥＣＵ６０の記憶部７５に記憶されている。
【００６７】
改質基準温度を高改質効果排気温度にした後は、改質基準温度を改質可能排気温度にした場合と同様に、改質基準温度以上の領域で改質用燃料を噴射する（ステップＳＴ１０５）。この制御は、排気温度取得部６９で取得した排気温度が改質基準温度以上の場合、改質用燃料噴射量制御部６５で改質用燃料インジェクタ２５を制御して改質ガスを噴射するため、換言すると、排気温度が高改質効果排気温度以上の場合に、改質ガスを噴射する。これにより、排気温度が改質基準温度以上の領域、或いは排気温度が高改質効果排気温度以上の領域で改質用燃料を噴射し、改質触媒３２で改質させることにより改質ガスを生成する。改質用燃料を噴射する制御を行った後は、この処理手順から抜け出る。
【００６８】
実施例１に係る燃料改質装置３では、供給量制限制御は、このように改質用燃料残量がＱｆｕｅｌより多い場合には改質基準温度を改質可能排気温度にし、改質用燃料残量がＱｆｕｅｌ以下の場合には改質基準温度を高改質効果排気温度にすることにより、改質用燃料の噴射領域を、排気温度が高改質効果排気温度以上の領域のみにすることにより行う。即ち、改質用燃料残量がＱｆｕｅｌより多い場合における改質用燃料の噴射領域と比較して、改質用燃料残量がＱｆｕｅｌ以下の場合における改質用燃料の噴射領域を制限することにより、改質用燃料の供給量を制限する。
【００６９】
次に、供給量制限制御を行う場合と供給量制限制御を行わない場合との燃費の比較について説明する。図５は、燃費の比較を行う場合におけるエンジンの運転モードの説明図である。図６は、供給量制限制御を行う場合と供給量制限制御を行わない場合との燃費の比較の説明図である。供給量制限制御を行う場合と供給量制限制御を行わない場合とで燃費を比較する際に、エンジン１を図５に示すように回転数が低く、トルクも小さい運転状態であるＡモードと、回転数が高く、トルクも大きい運転状態であるＢモードとで交互に運転させる。このＡモードとＢモードとでは、ＡモードよりもＢモードの方がエンジン１の回転数が高く、トルクが大きいため、排気温度が高くなっている。このため、ＡモードよりもＢモードの方が、改質効果が高く、燃費が良くなっている（図６）。
【００７０】
また、エンジン１をＡモードとＢモードとで交互に運転する場合には、改質用燃料も運転状態に応じて噴射するが、エンジン１の運転時に改質用燃料を噴射することにより、運転時間が経過するに従って改質用燃料残量は減少する。そして、改質用燃料残量が十分であるか否かを判定するＱｆｕｅｌ以下になった場合には、実施例１に係る燃料改質装置３では、供給量制限制御を行う。
【００７１】
この供給量制限制御では、排気温度が高い場合にのみ改質用燃料を噴射する。このため、改質用燃料残量がＱｆｕｅｌ以下になり、且つ、Ａモードで運転中における排気温度が高改質効果排気温度よりも低く、Ｂモードで運転中における排気温度が高改質効果排気温度よりも高い場合には、改質用燃料はＢモードで運転している場合にのみ噴射する。つまり、供給量制限制御では、供給量制限制御中における改質用燃料の消費の仕方を表す線である供給量制限制御時消費線８５（図６）で示すように、改質用燃料はＡモードで運転している場合は改質用燃料を消費せず、Ｂモードで運転している場合にのみ改質用燃料を消費する。
【００７２】
従って、改質用燃料残量がＱｆｕｅｌ以下になった場合には、Ａモードで運転中は改質用燃料を噴射しないため、改質用燃料を噴射して改質ガスを生成していた場合と比較して燃費が悪化する。即ち、Ａモードで運転をしている際における改質用燃料噴射停止時８７は、改質用燃料の噴射を停止させる前と比較して燃費が悪化するが、このＡモードは排気温度が低いため、改質効果が低い運転モードになっている。このため、Ａモードで運転をしている場合に改質用燃料の噴射を停止した場合でも、改質用燃料の噴射の停止によって改質効果が無くなることによる燃費の悪化は少なくなっている。また、改質用燃料は排気温度が高改質効果排気温度よりも高い場合にのみ噴射するため、改質用燃料の消費量は低減し、改質用燃料残量は無くなり難くなる。
【００７３】
これに対し、改質用燃料残量がＱｆｕｅｌ以下の場合でも供給量制限制御を行わない場合には、改質用燃料残量がＱｆｕｅｌ以下になる以前と同様に改質用燃料を噴射し続ける。即ち、エンジン１をＡモードで運転する場合もＢモードで運転する場合も改質用燃料を噴射する。このため、改質用燃料は、供給量制限制御を行わない場合における改質用燃料の消費の仕方を表す線である供給量制限制御無し時消費線８６（図６）で示すように、供給量制限制御を行う場合と比較して消費される速度が早くなる。
【００７４】
即ち、供給量制限制御を行う場合には改質用燃料はＢモードで運転中にのみ噴射されるのに対し、供給量制限制御を行わない場合にはＡモードで運転中とＢモードで運転中との両方の場合で噴射されるため、供給量制限制御を行わない場合には供給量制限制御を行う場合に対してＡモードで運転中に噴射をする分、改質用燃料の消費速度が早くなる。従って、供給量制限制御を行わない場合には、供給量制限制御を行う場合よりも早く改質用燃料が完全に消費され、改質用燃料タンク５５内の改質用燃料が無くなる。改質用燃料が無くなった場合、改質ガスが生成されることによる改質効果が無くなるが、改質効果が無くなることによる影響は、Ａモードで運転中よりもＢモードで運転中の方が大きくなっている。
【００７５】
つまり、Ａモードは排気温度が低いため改質効果が低い運転モードになっており、Ｂモードは排気温度が高いため改質効果が高い運転モードになっている。これにより、Ｂモードは高い改質効果により燃費が大幅に向上しているため、改質用燃料が無くなった場合には、ＡモードよりもＢモードの方が、改質用燃料が無くなった影響が大きくなる。このため、Ｂモードの燃費は、図６で示した改質用燃料消費時８８のように、改質用燃料が無くなる前と比較して大幅に悪化する。この場合における燃費の悪化は、改質用燃料残量がＱｆｕｅｌ以下になった場合に供給量制限制御をすることによりＡモードで運転中に改質用燃料の噴射を停止することによる燃費の悪化よりも悪化の度合いが大きくなっている。
【００７６】
このため、エンジン１の運転中の燃費を総合的に見た場合、改質用燃料残量がＱｆｕｅｌ以下になった場合には、供給量制限制御を行う場合よりも供給量制限制御を行わない場合の方が燃費が悪化し易くなる。換言すると、供給量制限制御を行わない場合よりも供給量制限制御を行う場合の方が、燃費が良くなる。
【００７７】
以上の燃料改質装置３は、改質用燃料残量が所定量であるＱｆｕｅｌ以下に場合には、改質用燃料の噴射量を減少させつつ改質ガスを気筒５内で燃焼させることによる改質効果が高い領域で改質用燃料を供給する制御である供給量制限制御を行うため、改質用燃料は無くなり難くなる。このため、改質用燃料残量が少なくなった場合でも、エンジン１の運転に用いる燃料である主燃料よりも先に改質用燃料が無くなることを抑制できる。これにより、エンジン１運転時の長時間に渡って改質ガスを生成し、改質ガスを必要に応じてエンジン１に供給し続けることができる。また、供給量制限制御では、改質効果が高い領域で改質用燃料を供給するため、改質用燃料の供給量を減少させた場合でも、エンジン１に改質ガスを供給することによる改質効果を維持することができる。この結果、エンジン１の運転時に改質ガスを供給する場合におけるトータルの燃費の向上を図ることができる。
【００７８】
また、実施例１に係る燃料改質装置では、供給量制限制御は、改質用燃料を噴射するか否かの判定に用いる改質基準温度を高改質効果排気温度にして改質基準温度を高くすることにより行うため、改質効果が高い領域でのみ改質用燃料を供給できる。詳しくは、改質触媒３２は吸熱反応により改質用燃料を改質するため、改質用燃料を改質することができる温度領域は所定の温度以上の領域になっている。さらに、このような改質触媒３２は、低温領域よりも高温領域の方が改質を行い易く、改質ガスを生成し易くなっている。このため、供給量制限制御を行う際には、改質基準温度を高くすることによって行うことにより、改質ガスをより多く生成することのできる温度領域でのみ改質用燃料を噴射するので、燃費の向上などの改質効果が高くなる。この結果、より確実にエンジン１の運転時に改質ガスを供給する場合におけるトータルの燃費の向上を図ることができる。
【実施例２】
【００７９】
実施例２に係る燃料改質装置９０は、実施例１に係る燃料改質装置３と略同様の構成であるが、供給量制限制御は単位時間当りの改質用燃料の噴射量を低減することにより行う点に特徴がある。他の構成は実施例１と同様なので、その説明を省略すると共に、同一の符号を付す。図７は、実施例２に係る燃料改質装置の要部構成図である。実施例２に係る燃料改質装置９０は、実施例１に係る燃料改質装置３と同様にエンジン１に備えられており（図１参照）、排気通路２０は、改質用燃料インジェクタ２５が設けられた改質用通路２２を有している。また、排気通路２０には、浄化触媒３１及び改質触媒３２を内設すると共にＥＧＲガス通路４０が接続された触媒部３０が設けられており、触媒部３０に接続されたＥＧＲガス通路４０は、触媒部３０に接続されている側の端部の反対側に位置する端部が吸気通路１０に接続されている。また、ＥＧＲガス通路４０には、当該ＥＧＲガス通路４０内を開閉可能なＥＧＲガス流量調整バルブ４２が設けられている。
【００８０】
また、この実施例２に係る燃料改質装置９０が有するＥＣＵ６０は、実施例１に係る燃料改質装置３が有するＥＣＵ６０と同様に処理部６１と記憶部７５と入出力部７６とを有している。このうち、処理部６１は、少なくともスロットルバルブ制御部６２と、吸入空気量取得部６３と、主燃料噴射量制御部６４と、改質用燃料噴射量制御部６５と、ＥＧＲガス流量調整バルブ制御部６６と、主燃料残量取得部６７と、改質用燃料残量取得部６８と、排気温度取得部６９と、改質用燃料残量判定部７０と、を有している。
【００８１】
この実施例２に係る燃料改質装置９０は、以上のごとき構成からなり、以下、その作用について説明する。実施例２に係る燃料改質装置９０を備えるエンジン１の運転時には、アクセルペダルの開度に応じてスロットルバルブ制御部６２でスロットルバルブ１２の開度を制御することにより、スロットルバルブ１２の開度に応じた量の空気が吸気通路１０に流れる。吸気通路１０を流れる吸入空気量は、吸気通路１０に設けられるエアフロメータ１３で検出し、検出結果を吸入空気量取得部６３で取得する。
【００８２】
また、吸気通路１０にはインジェクタ１１が設けられており、このインジェクタ１１を主燃料噴射量制御部６４で制御することにより、吸入空気量取得部６３で取得した吸入空気量に基づいた量の主燃料をインジェクタ１１から噴射する。インジェクタ１１から主燃料が噴射された場合、主燃料は吸気通路１０内を流れる空気と混合し、混合気の状態でエンジン１の各気筒５内に吸気される。
【００８３】
気筒５内に吸気された混合気は、気筒５の燃焼行程で燃焼し、燃焼後のガスが排気ガスとなって排気行程で各気筒５内から排気通路２０に流れる。排気通路２０に流れた排気ガスは、排気主通路２１と改質用通路２２に流れる。このうち、排気主通路２１に流れた排気ガスは、触媒部３０内の浄化触媒３１を通過し、この浄化触媒３１によって浄化される。その際に、浄化触媒３１は排気ガスの熱によって温度が上昇する。
【００８４】
一方、排気通路２０を流れる排気ガスのうち、一部の排気ガスは、改質用燃料インジェクタ２５が設けられている改質用通路２２に流れる。改質用燃料噴射量制御部６５はエンジン１の運転状態に応じて改質用燃料インジェクタ２５を制御することにより、改質用燃料インジェクタ２５は、改質用燃料噴射量制御部６５での制御に応じた改質用燃料を改質用通路２２内の排気ガスに対して噴射する。
【００８５】
これにより、改質用燃料は改質用通路２２を流れる排気ガスと混合した状態で触媒部３０に流入し、触媒部３０に設けられている改質触媒３２を通過する。この改質触媒３２は、浄化触媒３１の周囲に配設されて浄化触媒３１と一体となっているため、排気ガスの熱によって浄化触媒３１の温度が上昇した場合、浄化触媒３１の熱は改質触媒３２に伝達され、改質触媒３２の温度も上昇する。これにより、改質用燃料と混合した排気ガスが改質触媒３２を通過する際には、改質触媒３２は、排気ガスに熱を与えながら、改質用燃料が混合した排気ガスを改質し、改質ガスを生成する。
【００８６】
改質触媒３２で生成された改質ガス、及び改質ガスに改質されずに改質触媒３２を通過する排気ガスは、ＥＧＲガスとしてＥＧＲガス通路４０を流れ、ＥＧＲガス流量調整バルブ制御部６６でＥＧＲガス流量調整バルブ４２の開度を調整することにより流量が調整されて、吸気通路１０に流れる。吸気通路１０に流れた改質ガスを含むＥＧＲガスは、吸気通路１０を流れる空気と主燃料との混合気と共にエンジン１に吸入される。改質ガスを含む混合気がエンジン１に吸入された場合、改質ガスは混合気中の燃料と共にエンジン１の気筒５内で燃焼する。
【００８７】
このように気筒５内で燃焼する改質ガスは、エンジン１の運転に用いられる主燃料よりも発熱量が高いため、改質ガスが燃焼した際には、エンジン１の出力は増加する。従って、ＥＧＲガスに含まれる改質ガスを燃焼させる場合において、エンジン１の出力を一定にする場合には、インジェクタ１１から噴射する主燃料の噴射量を低減させる。
【００８８】
また、エンジン１の運転中は、主燃料残量センサ５３での検出結果より、主燃料タンク５１内に貯留されている主燃料の残量を主燃料残量取得部６７で取得し、改質用燃料残量センサ５７での検出結果より、改質用燃料タンク５５内に貯留されている改質用燃料の残量を改質用燃料残量取得部６８で取得する。改質用燃料噴射量制御部６５は、改質用燃料残量取得部６８で取得した改質用燃料の残量である改質用燃料残量が所定量以下の場合には供給量制限制御を行い、改質用燃料インジェクタ２５で噴射する改質用燃料の噴射量を減少させる。
【００８９】
図８は、実施例２に係る燃料改質装置で供給量制限制御を行う場合の改質用燃料噴射量と燃費との関係を示す説明図である。同図における横軸は、改質用燃料の噴射量である改質用燃料噴射量を示しており、縦軸は主燃料の燃費と改質用燃料の燃費とを合わせた燃費を示している。改質用燃料噴射量制御部６５で供給量制限制御を行う場合、具体的には、供給量制限制御を行わない場合と比較して、改質用燃料インジェクタ２５で噴射する改質用燃料の単位時間当りの噴射量を低減させることにより改質用燃料インジェクタ２５で噴射する改質用燃料の噴射量を減少させる。
【００９０】
ここで、排気ガスに改質用燃料を噴射した場合、改質用燃料の噴射量である改質用燃料噴射量が多くなるに従って改質ガスが多く生成され、改質効果が大きくなるので、主燃料の燃費と改質用燃料の燃費とを合わせた燃費は向上する。即ち、改質用燃料噴射量と燃費の関係は、図８の燃費線１００で示すように、ある程度の改質用燃料噴射量までは、改質用燃料噴射量が多くなるに従って燃費は向上する。
【００９１】
しかし、改質ガスによる改質効果は、改質ガスの供給量が所定量に達した場合、改質ガスの供給量をそれ以上増加させても大きくならないため、改質用燃料噴射量を増加させることによる燃費の向上の効果は限界値がある。この限界値を超えて改質用燃料噴射量を増加した場合、改質効果は向上せず、単に改質用燃料の消費量が増えるのみであるので、燃費は悪くなる。改質用燃料噴射量は、このように改質用燃料噴射量に応じて変化する燃費が最も良い状態になる噴射量が最適値となっている。改質用燃料噴射量と燃費とは、このような関係になっているが、エンジン１の通常運転時における改質用燃料噴射量である通常運転時噴射量１０１は、改質用燃料噴射量における最適値の噴射量になっている。
【００９２】
これに対し、供給量制限制御を行う際には、供給量制限制御時における改質用燃料噴射量である供給量制限制御時噴射量１０２を通常運転時噴射量１０１よりも少なくする。この供給量制限制御時噴射量１０２は、改質用燃料噴射量の最適値である通常運転時噴射量１０１よりも改質用燃料の噴射量が少ないため、燃費は通常運転時噴射量１０１で噴射した場合よりも悪くなるが、単位時間当りの改質用燃料の噴射量は通常運転時噴射量１０１で噴射した場合よりも少なくなっている。これにより、改質用燃料インジェクタ２５で噴射する改質用燃料の噴射量は減少する。つまり、実施例２に係る燃料改質装置９０では、供給量制限制御を行う場合には供給量制限制御を行わない場合と比較して改質用燃料インジェクタ２５で噴射する改質用燃料の単位時間当りの噴射量を低減させる。
【００９３】
実施例２に係る燃料改質装置９０では、供給量制限制御を行う場合には、このように改質用燃料の単位時間当りの噴射量を低減させるため、燃費向上の自体は低減するが、低減の度合いは改質用燃料の低減量とは比例していない。つまり、燃費向上の効果は、図８に示すように改質用燃料の噴射量と比例関係ではなく、通常運転時噴射量１０１付近では、改質用燃料の噴射量を低減させても、燃費はあまり悪化しない。例えば、改質用燃料噴射量と燃費との関係を図８のように図示した場合、燃費は最適値（通常運転時噴射量１０１）付近を、燃費が良い側の頂点として凸となった曲線で表すことができる。
【００９４】
この場合に、改質用燃料噴射量の一例として、通常運転時噴射量１０１での改質用燃料噴射量をＱとし、供給量制限制御時噴射量１０２での改質用燃料噴射量を、通常運転時噴射量１０１での改質用燃料噴射量の１／２であるとしてＱ／２とする。また、通常運転時噴射量１０１（Ｑ）から供給量制限制御時噴射量１０２（Ｑ／２）まで改質用燃料噴射量を低減させた場合における燃費の悪化の変位量をΔＳＦＣａとし、通常運転時噴射量１０１（Ｑ）から、改質用燃料の噴射の停止時である改質用燃料噴射停止時１０３（０）まで改質用燃料噴射量を低減させた場合における燃費の悪化の変位量をΔＳＦＣｂの１／２とする。改質用燃料噴射量や燃費を、これらのように表す場合、通常運転時噴射量１０１（Ｑ）から供給量制限制御時噴射量１０２（Ｑ／２）まで低減させた場合における燃費の悪化の変位量ΔＳＦＣａは、下記の式（１）で示すように、通常運転時噴射量１０１（Ｑ）から、改質用燃料の噴射の停止時である改質用燃料噴射停止時１０３（０）まで低減させた場合における燃費の悪化の変位量ΔＳＦＣｂの１／２よりも少なくなる。
ΔＳＦＣａ＜（１／２）×ΔＳＦＣｂ・・・（１）
【００９５】
このように、改質用燃料噴射量を低減させた場合、改質用燃料噴射量を低減させることによる燃費の悪化の度合いは、改質用燃料噴射量の低減の度合いよりも小さくなっている。このため、改質用燃料を低減させた場合でも、この低減量に対して燃費の悪化は比較的小さくなっており、換言すると、改質用燃料を低減した場合でも燃費向上の効果はあまり低下しないため、相対的に燃費向上の効果が高い領域で改質用燃料を供給することになる。
【００９６】
図９は、実施例２に係る燃料改質装置の処理手順を示すフロー図である。次に、実施例２に係る燃料改質装置９０の制御方法、即ち、当該燃料改質装置９０の処理手順について説明する。実施例２に係る燃料改質装置９０の処理手順では、まず、改質用燃料残量センサでの検出結果より、ＥＣＵ６０の処理部６１が有する改質用燃料残量取得部６８で改質用燃料残量を取得する（ステップＳＴ２０１）。
【００９７】
次に、改質用燃料残量取得部６８で取得した改質用燃料残量と記憶部７５に記憶されたＱｆｕｅｌとを、ＥＣＵ６０の処理部６１が有する改質用燃料残量判定部７０で比較し、この改質用燃料残量判定部７０で改質用燃料残量＞Ｑｆｕｅｌであるかを判定する（ステップＳＴ２０２）。
【００９８】
改質用燃料残量判定部７０での判定（ステップＳＴ２０２）により、改質用燃料残量はＱｆｕｅｌよりも多いと判定された場合には、通常の噴射量で改質用燃料を噴射する（ステップＳＴ２０３）。この制御は、ＥＣＵ６０の処理部６１が有する改質用燃料噴射量制御部６５で行う。記憶部７５には、予めエンジン１の通常の運転時における改質用燃料の噴射量、つまり、改質用燃料残量がＱｆｕｅｌよりも多い場合におけるエンジン１の運転状態に応じた改質用燃料の噴射量が、通常の噴射量として記憶されている。改質用燃料噴射量制御部６５は、改質用燃料の噴射量が記憶部７５に記憶された通常の噴射量になるように改質用燃料インジェクタ２５を制御する。これにより、改質用燃料インジェクタ２５は通常の噴射量で改質用燃料を噴射する。改質用燃料を噴射する制御を行った後は、この処理手順から抜け出る。
【００９９】
これに対し、改質用燃料残量判定部７０での判定（ステップＳＴ２０２）により、改質用燃料残量はＱｆｕｅｌ以下であると判定された場合には、噴射量を低減して改質用燃料を噴射する（ステップＳＴ２０４）。この制御は、改質用燃料残量はＱｆｕｅｌよりも多いと判定された場合と同様に改質用燃料噴射量制御部６５で行う。即ち、記憶部７５には、改質用燃料残量がＱｆｕｅｌ以下の場合における改質用燃料の噴射量が記憶されており、この噴射量は、改質用燃料残量がＱｆｕｅｌよりも多い場合、つまり、エンジン１の通常の運転時における改質用燃料の噴射量よりも、単位時間当りの噴射量が少なくなっている。改質用燃料噴射量制御部６５は、改質用燃料の噴射量が記憶部７５に記憶された、単位時間当りの噴射量がエンジン１の通常の運転時における噴射量よりも少なくなった噴射量になるように改質用燃料インジェクタ２５を制御する。これにより、改質用燃料インジェクタ２５は噴射量を低減して改質用燃料を噴射する。改質用燃料を噴射する制御を行った後は、この処理手順から抜け出る。
【０１００】
次に、供給量制限制御を行う場合と供給量制限制御を行わない場合との燃費の比較について説明する。図１０は、供給量制限制御を行う場合と供給量制限制御を行わない場合との燃費の比較の説明図である。エンジン１の運転中は、運転状態に応じて改質用燃料を噴射するため、運転時間が経過するに従って改質用燃料残量は減少し、改質用燃料残量がＱｆｕｅｌ以下になった場合には、実施例２に係る燃料改質装置９０では供給量制限制御を行う。
【０１０１】
ここで、供給量制限制御を行う場合と供給量制限制御を行わない場合とで燃費を比較すると、実施例１に係る燃料改質装置３と同様にＡモードとＢモード（図５参照）とで比較した場合に、実施例２に係る燃料改質装置９０では、実施例１に係る燃料改質装置３と同様に、ＡモードよりもＢモードの方が、改質効果が高く、燃費が良くなる（図１０）。
【０１０２】
また、エンジン１をＡモードとＢモードとで交互に運転する場合には、改質用燃料も運転状態に応じて噴射するが、エンジン１の運転時に改質用燃料を噴射することにより、運転時間が経過するに従って改質用燃料残量は減少する。そして、改質用燃料残量が、当該改質用燃料残量が十分であるか否かを判定するＱｆｕｅｌ以下になった場合には、実施例２に係る燃料改質装置９０では、供給量制限制御を行う。
【０１０３】
実施例２に係る燃料改質装置９０では、供給量制限制御は、単位時間当りの改質用燃料の噴射量を低減することにより行う。つまり、供給量制限制御では、供給量制限制御中における改質用燃料の消費の仕方を表す線である供給量制限制御時消費線１０５（図１０）で示すように、供給量制限制御を行わない場合における改質用燃料の消費の仕方を表す線である供給量制限制御無し時消費線１０６（図１０）と比較して、燃料の減少の仕方が緩やかになる。即ち、改質用燃料の消費速度が遅くなる。
【０１０４】
また、エンジン１をＡモードとＢモードとで交互に運転している際に改質用燃料残量がＱｆｕｅｌ以下になることにより、このように供給量制限制御を行った場合、改質用燃料の噴射量は、ＡモードとＢモードとの双方の運転モードで単位時間当りの噴射量を低減する。改質用燃料を噴射した状態で改質用燃料の噴射量を低減した場合には、噴射量の低減に伴って改質効果が低下する。このため、改質用燃料の単位時間当りの噴射量を低減した場合には、ＡモードとＢモードとの双方で改質効果が低減するため、双方の運転モードで燃費が悪化する。
【０１０５】
このように、改質用燃料残量がＱｆｕｅｌを下回った場合には、実施例２に係る燃料改質装置９０では改質用燃料の噴射量を低減するが、改質用燃料の噴射量を低減した場合における改質効果の低下の度合いは、改質用燃料の噴射量の最適値付近では、改質用燃料の噴射量を低減した場合でも改質効果はあまり低下しない。このため、改質用燃料噴射量低減時１０７（図１０）には、効果が少しだけ低下した状態で改質効果を得ることができる。
【０１０６】
これに対し、改質用燃料残量がＱｆｕｅｌ以下になった場合でも供給量制限制御を行わない場合には、改質用燃料残量がＱｆｕｅｌ以下になる以前と同様に改質用燃料を噴射し続ける。このため、改質用燃料は、供給量制限制御を行わない場合における改質用燃料の消費の仕方を表す線である供給量制限制御無し時消費線１０６（図１０）で示すように、供給量制限制御を行う場合と比較して消費される速度が早くなる。
【０１０７】
即ち、供給量制限制御を行う場合には改質用燃料の噴射量を低減するのに対し、供給量制限制御を行わない場合には、改質用燃料残量がＱｆｕｅｌ以下の場合でも通常運転状態の噴射量で改質用燃料を噴射し続ける。従って、供給量制限制御を行わない場合には、供給量制限制御を行う場合よりも早く改質用燃料が完全に消費され、改質用燃料タンク５５に貯留されている改質用燃料が無くなる。
【０１０８】
また、改質用燃料が無くなった場合、改質ガスが生成されることによる改質効果が無くなるが、Ｂモードでは、Ａモードと比較して改質効果が大きいため、改質用燃料が無くなることにより改質用燃料が噴射されなくなった場合には、Ｂモードでの改質効果が大幅に低下する。このため、改質用燃料残量がＱｆｕｅｌ以下になった場合で、且つ、改質用燃料タンク５５内の改質用燃料が無くなった状態である改質用燃料消費時１０８（図１０）には、Ｂモードでの燃費が大幅に悪化する。
【０１０９】
従って、エンジン１の運転中の燃費を総合的に見た場合、供給量制限制御を行う場合と供給量制限制御を行わない場合とで比較すると、供給量制限制御を行う場合よりも供給量制限制御を行わない場合の方が、総合的な燃費が悪化し易くなる。換言すると、供給量制限制御を行わない場合よりも供給量制限制御を行う場合の方が燃費が良くなる。
【０１１０】
以上の燃料改質装置９０は、改質用燃料残量がＱｆｕｅｌ以下になった場合には、改質用燃料インジェクタ２５で噴射する改質用燃料の単位時間当りの噴射量を低減させることにより供給量制限制御を行うため、エンジン１運転時の長時間に渡って改質ガスを生成することができる。また、改質用燃料の単位時間当りの噴射量を低減した場合、改質効果自体は低減するが、低減の度合いは改質用燃料の低減量とは比例しておらず、改質効果の低減の度合いは、改質用燃料の低減の度合いよりも小さくなっている。このため、改質用燃料の噴射量を低減させた場合でも、この低減量に対して燃費の悪化は比較的小さくなっており、換言すると、改質用燃料の噴射量を低減した場合でも改質効果はあまり低下しないため、改質効果が高い領域で改質用燃料を噴射することになる。従って、改質用燃料の噴射量を減少させた場合でも、燃費が悪化することを抑制できる。この結果、エンジン１運転時に改質ガスを供給する場合におけるトータルの燃費の向上を図ることができる。
【実施例３】
【０１１１】
実施例３に係る燃料改質装置１１０は、実施例１に係る燃料改質装置３と略同様の構成であるが、供給量制限制御はノック域でのみ改質用燃料を噴射することにより行う点に特徴がある。他の構成は実施例１と同様なので、その説明を省略すると共に、同一の符号を付す。図１１は、実施例３に係る燃料改質装置を備えるエンジンの全体構成図である。実施例３に係る燃料改質装置１１０は、実施例１に係る燃料改質装置３と同様にエンジン１に備えられており、排気通路２０は、改質用燃料インジェクタ２５が設けられた改質用通路２２を有している。また、排気通路２０には、浄化触媒３１及び改質触媒３２を内設すると共にＥＧＲガス通路４０が接続された触媒部３０が設けられており、触媒部３０に接続されたＥＧＲガス通路４０は、触媒部３０に接続されている側の端部の反対側に位置する端部が吸気通路１０に接続されている。また、ＥＧＲガス通路４０には、当該ＥＧＲガス通路４０内を開閉可能なＥＧＲガス流量調整バルブ４２が設けられている。
【０１１２】
また、エンジン１が有する複数の気筒５には、エンジン１の運転中に発生するノッキングを検出するノック検出手段であるノックセンサ１１５が各気筒５に設けられている。このノックセンサ１１５は、他のセンサ類と同様にＥＣＵ１２０に接続されている。
【０１１３】
図１２は、実施例３に係る燃料改質装置の要部構成図である。また、この実施例３に係る燃料改質装置１１０が有するＥＣＵ１２０は、実施例１に係る燃料改質装置３が有するＥＣＵ６０と同様に処理部６１と記憶部７５と入出力部７６とを有している。このうち、処理部６１は、少なくともスロットルバルブ制御部６２と、吸入空気量取得部６３と、主燃料噴射量制御部６４と、改質用燃料噴射量制御部６５と、ＥＧＲガス流量調整バルブ制御部６６と、主燃料残量取得部６７と、改質用燃料残量取得部６８と、排気温度取得部６９と、改質用燃料残量判定部７０と、を有している。
【０１１４】
さらに、この処理部６１には、ノックセンサ１１５での検出結果よりエンジン１の運転中におけるノッキングの発生状態を取得するノック取得手段であるノック取得部１２１と、ノック取得部１２１で取得したノッキングの発生状態より、エンジン１はノック域で運転中であるかを判定するノック域判定手段であるノック域判定部１２２と、を有している。
【０１１５】
この実施例３に係る燃料改質装置１１０は、以上のごとき構成からなり、以下、その作用について説明する。実施例３に係る燃料改質装置１１０を備えるエンジン１の運転時の基本的な作用は、実施例１に係る燃料改質装置３や実施例２に係る燃料改質装置９０と同様な作用をする。即ち、エンジン１の気筒５内で主燃料と空気との混合気を燃焼し、燃焼後の排気ガスの熱によって浄化触媒３１の温度を上昇させる。さらに、改質用燃料を噴射した排気ガスを、浄化触媒３１と一体になって設けられた改質触媒３２に流すことにより、改質ガスを生成する。
【０１１６】
改質触媒３２で生成された改質ガスはＥＧＲガスとして吸気通路１０に流れ、吸気通路１０を流れる空気と主燃料との混合気と共にエンジン１に吸入される。改質ガスを含む混合気がエンジン１に吸入された場合、改質ガスは混合気中の燃料と共にエンジン１の気筒５内で燃焼する。これにより、インジェクタ１１から噴射する主燃料の噴射量を低減させることができる。
【０１１７】
また、エンジン１の運転中は、主燃料残量センサ５３での検出結果より、主燃料残量を主燃料残量取得部６７で取得し、改質用燃料残量センサ５７での検出結果より、改質用燃料残量を改質用燃料残量取得部６８で取得する。
【０１１８】
改質用燃料噴射量制御部６５は、改質用燃料残量取得部６８で取得した改質用燃料残量が所定量以下の場合には供給量制限制御を行い、改質用燃料インジェクタ２５で噴射する改質用燃料の噴射量を減少させる。
【０１１９】
図１３は、実施例３に係る燃料改質装置で供給量制限制御を行う場合の改質用燃料噴射量と燃費との関係を示す説明図である。同図における横軸は、エンジン１のトルクを示しており、縦軸は熱効率を示している。実施例３に係る燃料改質装置１１０において改質用燃料噴射量制御部６５で供給量制限制御を行う場合、具体的には、エンジン１の運転が、ノッキングを発生する領域であるノック域の場合にのみ改質用燃料インジェクタ２５に改質用燃料を噴射させることにより、供給量制限制御を行わない場合と比較して改質用燃料インジェクタ２５で噴射する改質用燃料の噴射量を減少させつつ改質効果が高い領域で改質用燃料を噴射する。即ち、供給量制限制御を行う場合には、エンジン１の運転が、ノッキングを発生していない領域である非ノック域の場合には改質用燃料を噴射せず、エンジン１の運転がノック域の場合にのみ改質用燃料を噴射するように、改質用燃料噴射量制御部６５で改質用燃料インジェクタ２５を制御する。
【０１２０】
ここで、ノッキングが発生する際のエンジン１のトルクと熱効率との関係を説明すると、改質用燃料を噴射せず、燃料改質制御を行わない場合には、図１３に示した燃料改質制御無し時熱効率線１２６で示すように、トルクが低い領域では熱効率も低くなっており、トルクを上昇させるに従って熱効率も高くなる。
【０１２１】
トルクが上昇した場合には、このように熱効率も高くなるが、トルクと熱効率とが共に高くなった場合、トルクが所定以上に高くなると、ノッキングが発生する。エンジン１の運転状態において、トルクを上昇させた際にこのようにノッキングが発生する境界はノック境界１２７になっており、ノック境界１２７よりもトルクが低い運転領域は非ノック域になっており、ノック領域１２７よりもトルクが高い運転領域はノック域になっている。エンジン１の運転中における熱効率は、燃料改質制御無し時熱効率線１２６で示すように非ノック域ではトルクが上昇するに従って熱効率が上昇する。さらにトルクが上昇し、ノック境界１２７を越えてノック域に入った場合には、エンジン１の気筒５内ではノッキングが発生する。このため、ノック域では、トルクを上昇させた場合でも熱効率が低下し易くなる。
【０１２２】
これに対し、改質用燃料を改質することにより生成される改質ガスに含まれる水素や一酸化炭素はオクタン価が高いため、改質用燃料を噴射して改質ガスをエンジン１に供給した場合には、ノッキングが発生し難くなる。具体的には、改質用燃料をエンジン１に供給した場合には、ノック境界が高負荷側、即ち高トルク側に移動するため、非ノック域が広くなり、ノッキングが発生し難くなる。このため、改質用燃料を噴射した場合には、図１３の燃料改質制御時熱効率線１２５で示すように、改質用燃料を噴射しない場合と比較して、高負荷時の熱効率が大幅に向上する。
【０１２３】
つまり、改質用燃料を改質することにより生成される改質ガスはノッキングを低下させるノック改善効果も有しているため、改質用燃料を噴射した場合における改質効果は、非ノック域よりもノック域の方が高くなっている。
【０１２４】
従って、改質用燃料噴射量制御部６５は、改質用燃料残量取得部６８で取得した改質用燃料残量が所定量以下の場合には、高負荷領域、即ち、改質用燃料を噴射しない場合におけるノック域でのみ改質用燃料インジェクタ２５に改質用燃料を噴射させることにより、改質用燃料インジェクタ２５で噴射する改質用燃料の噴射量を減少させつつ改質効果が高い領域で改質用燃料を噴射する。
【０１２５】
図１４は、実施例３に係る燃料改質装置の処理手順を示すフロー図である。次に、実施例３に係る燃料改質装置１１０の制御方法、即ち、当該燃料改質装置１１０の処理手順について説明する。実施例３に係る燃料改質装置１１０の処理手順では、まず、改質用燃料残量センサ５７での検出結果より、ＥＣＵ１２０の処理部６１が有する改質用燃料残量取得部６８で改質用燃料残量を取得する（ステップＳＴ３０１）。
【０１２６】
次に、改質用燃料残量取得部６８で取得した改質用燃料残量と記憶部７５に記憶されたＱｆｕｅｌとをＥＣＵ１２０の処理部６１が有する改質用燃料残量判定部７０で比較し、この改質用燃料残量判定部７０で改質用燃料残量＞Ｑｆｕｅｌであるかを判定する（ステップＳＴ３０２）。
【０１２７】
改質用燃料残量判定部７０での判定（ステップＳＴ３０２）により、改質用燃料残量はＱｆｕｅｌよりも多いと判定された場合には、改質用燃料の噴射を通常制御する（ステップＳＴ３０３）。この制御は、記憶部７５に記憶された、エンジン１の通常の運転時における噴射量で改質用燃料を改質用燃料インジェクタ２５から噴射できるように、ＥＣＵ１２０の処理部６１が有する改質用燃料噴射量制御部６５で改質用燃料インジェクタ２５を制御することにより行う。これにより、改質用燃料インジェクタ２５は通常の噴射量で改質用燃料を噴射する。改質用燃料を噴射する制御を行った後は、この処理手順から抜け出る。
【０１２８】
これに対し、改質用燃料残量判定部７０での判定（ステップＳＴ３０２）により、改質用燃料残量はＱｆｕｅｌ以下であると判定された場合には、ノッキング状態を取得する（ステップＳＴ３０４）。この取得は、ノックセンサ１１５で検出するエンジン１のノッキングの検出結果が、ＥＣＵ１２０の処理部６１が有するノック取得部１２１に伝達され、ノック取得部１２１で取得する。
【０１２９】
次に、エンジン１はノック域で運転中であるかを判定する（ステップＳＴ３０５）。この判定は、ＥＣＵ１２０の処理部６１が有するノック域判定部１２２で行う。ノック域判定部１２２には、ノック取得部１２１で取得したエンジン１のノッキングの状態が伝達され、ノック域判定部１２２は、伝達されたノッキングの状態より、エンジン１はノック域で運転しているかを判定する。即ち、ノック域判定部１２２は、ノック取得部１２１から伝達されたノッキングの状態が、エンジン１はノッキングを発生していることを示している場合には、ノック域で運転中であると判定し、ノック取得部１２１から伝達されたノッキングの状態が、エンジン１はノッキングを発生していないことを示していれる場合には、非ノック域で運転中であると判定する。
【０１３０】
ノック域判定部１２２での判定（ステップＳＴ３０５）により、エンジン１はノック域で運転中であると判定された場合には、改質用燃料を噴射する（ステップＳＴ３０６）。つまり、改質用燃料噴射量制御部６５で改質用燃料インジェクタ２５を制御し、改質用燃料インジェクタ２５に改質用燃料を噴射させる。改質用燃料を噴射する制御を行った後は、この処理手順から抜け出る。
【０１３１】
これに対し、ノック域判定部１２２での判定（ステップＳＴ３０５）により、エンジン１はノック域で運転中ではない、即ち、非ノック域で運転中であると判定された場合には、改質用燃料の噴射を停止する（ステップＳＴ３０７）。このように、改質用燃料の噴射を停止する場合も改質用燃料噴射量制御部６５で改質用燃料インジェクタ２５を制御し、改質用燃料インジェクタ２５の作動を停止させる。これにより、改質用燃料インジェクタ２５から噴射する改質用燃料の噴射を停止させる。改質用燃料の噴射を停止する制御を行った後は、この処理手順から抜け出る。
【０１３２】
以上の燃料改質装置１１０は、エンジン１の運転がノック域の場合にのみ改質用燃料を噴射することにより供給量制限制御を行うため、改質効果が高い領域でのみ改質用燃料を噴射できる。詳しくは、改質ガスをエンジン１に供給した場合、ノッキングの改善効果もあるため、エンジン１の運転が、ノッキングが発生する領域であるノック域の場合に改質用燃料を噴射することにより、改質ガスによってノッキングを抑制することができる。このため、供給量制限制御を行う際には、エンジン１の運転がノック域の場合にのみ改質用燃料を噴射することによって行うことにより、少量の改質用燃料で高い改質効果を得ることができる。この結果、エンジン１運転時に改質ガスを供給する場合におけるトータルの燃費の向上しつつ、ノッキングの抑制を図ることができる。
【実施例４】
【０１３３】
実施例４に係る燃料改質装置１３０は、実施例１に係る燃料改質装置３と略同様の構成であるが、エンジン１はハイブリッド装置１３８が有する複数の原動手段のうちの１つとして設けられており、供給量制限制御を行うかの判定は、複数の原動手段のうちの１つとして設けられるモータ１４０の電源であるバッテリ１４４の電気残量も含めて行う点に特徴がある。他の構成は実施例１と同様なので、その説明を省略すると共に、同一の符号を付す。図１５は、実施例４に係る燃料改質装置を備えるエンジンを搭載する車両の要部概略図である。実施例４に係る燃料改質装置１３０を備えるエンジン１は、複数の原動手段を有するハイブリッド装置１３８が搭載される車両１３５であるハイブリッド車に搭載されており、このエンジン１は、ハイブリッド装置１３８が有する原動手段のうちの１つとして設けられている。また、このハイブリッド装置１３８は、他の原動手段として、電気によって作動するモータ１４０を備えており、これらのエンジン１とモータ（モータジェネレータ）１４０とは、共に車両１３５の走行時の原動力を発生可能になっている。また、ハイブリッド装置１３８は、エンジン１の出力を受けて発電を行う発電機（モータジェネレータ）１４１を有しており、これらのエンジン１とモータ１４０と発電機１４１とは、動力分割機構１４２によって接続されている。また、動力分割機構１４２は、減速機１４５及び駆動軸１４６を介して車両１３５の駆動輪１４７に接続されている。この動力分割機構１４２は、エンジン１の出力を発電機１４１と駆動輪１４７とに振り分けると共にモータ１４０からの出力を駆動輪１４７に伝達したり、減速機１４５及び駆動軸１４６を介して駆動力が駆動輪１４７に伝達される際に変速をする変速機として機能したりする。
【０１３４】
モータ１４０は交流同期電動機であり、インバータ１４３に接続され、交流の電気によって駆動する。インバータ１４３は、車両１３５に搭載されるバッテリ１４４に蓄えられた電気を直流から交流に変換してモータ１４０に供給すると共に、発電機１４１によって発電される電気を交流から直流に変換してバッテリ１４４に蓄えることができるように設けられている。このように、バッテリ１４４は、モータ１４０を駆動させる場合におけるモータ１４０の電源として設けられている。また、発電機１４１も、基本的には上述したモータ１４０とほぼ同様の構成を有しており、交流同期電動機としての構成を有している。この場合、モータ１４０が主として駆動力を出力するのに対し、発電機１４１は主としてエンジン１の出力を受けて発電する役割をする。
【０１３５】
また、モータ１４０は主として駆動力を発生させるが、駆動輪１４７の回転を利用して発電（回生発電）することもでき、発電機として機能することも可能になっている。この場合、駆動輪１４７には回生ブレーキを作用させることができるので、これを通常の制動手段であるフットブレーキやエンジンブレーキと併用することにより、車両１３５を制動させることができる。一方、発電機１４１は主としてエンジン１の出力を受けて発電をするが、インバータ１４３を介してバッテリ１４４の電気を受けて駆動する電動機としても機能することが可能になっている。
【０１３６】
また、エンジン１、モータ１４０、発電機１４１、動力分割機構１４２は、それぞれＥＣＵ１５０に接続されており、ＥＣＵ１５０により制御可能に設けられている。また、バッテリ１４４もＥＣＵ１５０に接続されており、ＥＣＵ１５０によりバッテリ１４４の電気残量が監視可能になっている。
【０１３７】
また、実施例４に係る燃料改質装置１３０は、実施例１に係る燃料改質装置３と同様にエンジン１に備えられており（図１参照）、排気通路２０は、改質用燃料インジェクタ２５が設けられた改質用通路２２を有している。また、排気通路２０には、浄化触媒３１及び改質触媒３２を内設すると共にＥＧＲガス通路４０が接続された触媒部３０が設けられており、触媒部３０に接続されたＥＧＲガス通路４０は、触媒部３０に接続されている側の端部の反対側に位置する端部が吸気通路１０に接続されている。また、ＥＧＲガス通路４０には、当該ＥＧＲガス通路４０内を開閉可能なＥＧＲガス流量調整バルブ４２が設けられている。
【０１３８】
図１６は、実施例４に係る燃料改質装置の要部構成図である。また、この実施例４に係る燃料改質装置１３０が有するＥＣＵ１５０は、実施例１に係る燃料改質装置３が有するＥＣＵ６０と同様に処理部６１と記憶部７５と入出力部７６とを有している。このうち、処理部６１は、少なくともスロットルバルブ制御部６２と、吸入空気量取得部６３と、主燃料噴射量制御部６４と、改質用燃料噴射量制御部６５と、ＥＧＲガス流量調整バルブ制御部６６と、主燃料残量取得部６７と、改質用燃料残量取得部６８と、排気温度取得部６９と、改質用燃料残量判定部７０と、を有している。
【０１３９】
さらに、この処理部６１には、バッテリ１４４の電気残量を取得する電気残量取得手段である電気残量取得部１５１と、電気残量取得部１５１で取得したバッテリ１４４の電気残量が所定量よりも多いか否かを判定する電気残量判定部１５２と、を有している。
【０１４０】
この実施例４に係る燃料改質装置１３０は、以上のごとき構成からなり、以下、その作用について説明する。実施例４に係る燃料改質装置１３０を備えるエンジン１の運転時の基本的な作用は、上述した実施例１に係る燃料改質装置３等と同様な作用をする。即ち、エンジン１の気筒５内で主燃料と空気との混合気を燃焼し、燃焼後の排気ガスの熱によって浄化触媒３１の温度を上昇させる。さらに、改質用燃料を噴射した排気ガスを、浄化触媒３１と一体になって設けられた改質触媒３２に流すことにより、改質ガスを生成する。
【０１４１】
改質触媒３２で生成された改質ガスはＥＧＲガスとして吸気通路１０に流れ、吸気通路１０を流れる空気と主燃料との混合気と共にエンジン１に吸入される。改質ガスを含む混合気がエンジン１に吸入された場合、改質ガスは混合気中の燃料と共にエンジン１の気筒５内で燃焼する。これにより、インジェクタ１１から噴射する主燃料の噴射量を低減させることができる。
【０１４２】
実施例４に係る燃料改質装置１３０を備えるエンジン１の運転時は、このように運転するが、このエンジン１はハイブリッド装置１３８が有する複数の原動手段のうちの１つになっている。ハイブリッド装置１３８を備える車両１３５の走行時は、車両１３５の運転状態に応じてＥＣＵ１５０によって原動手段であるエンジン１、モータ１４０及び発電機１４１による駆動を、総合的に制御する。
【０１４３】
この制御は、エンジン１、モータ１４０、発電機１４１の出力を制御したり、起動と停止を繰り返す、いわゆる間欠運転の制御をしたりする。これらのエンジン１、モータ１４０、発電機１４１の出力は、動力分割機構１４２に伝達され、動力分割機構１４２から減速機１４５及び駆動軸１４６を介して、駆動力として駆動輪１４７に伝達される。これにより、当該ハイブリッド装置１３８を搭載する車両１３５は、エンジン１、モータ１４０及び発電機１４１の出力により走行する。
【０１４４】
ここで、エンジン１の運転時には、エンジン１は上述したように、主燃料と空気との混合気や、改質用燃料より生成された改質ガスにより運転するが、モータ１４０は、バッテリ１４４に充電されている電気により作動する。詳しくは、バッテリ１４４が外部に電気を供給する際には、直流で供給するのに対し、モータ１４０は交流の電気により作動する。このため、バッテリ１４４の電気は、一旦インバータ１４３に流れ、インバータ１４３で交流の電気に変換された後、モータ１４０に流れる。モータ１４０は、インバータ１４３から供給された交流の電気により作動する。
【０１４５】
また、ＥＣＵ１５０は、バッテリ１４４の電気残量を監視しており、バッテリ１４４の電気残量が所定量以下の場合には、バッテリ１４４への充電量を増加させる運転である充電運転をエンジン１に行わせる。この充電運転では、エンジン１の動力を通常運転時よりも増加させ、増加分をバッテリ１４４の充電に用いる。詳しくは、エンジン１の動力を用いてバッテリ１４４に充電する場合には、エンジン１の動力を動力分割機構１４２で発電機１４１と減速機１４５とに分割する。これにより、エンジン１の動力のうち、一部の動力は発電機１４１を作動させる力として用いられ、残りの動力が減速機１４５を介して車両１３５を走行させる駆動力として用いられる。このように、エンジン１の動力が発電機１４１に伝達されることにより、発電機１４１は発電し、発電した電気はインバータ１４３に伝達される。その際に、発電機１４１で発電した電気は交流であるのに対し、バッテリ１４４は直流の電気を充電や放電をするため、発電機１４１で発電した電気はインバータ１４３で直流に変換し、直流の電気の状態でバッテリ１４４に伝達する。このインバータ１４３からの電気により、バッテリ１４４は充電される。
【０１４６】
また、エンジン１の運転中は、主燃料残量センサ５３での検出結果より、主燃料残量を主燃料残量取得部６７で取得し、改質用燃料残量センサ５７での検出結果より、改質用燃料残量を改質用燃料残量取得部６８で取得する。
【０１４７】
改質用燃料噴射量制御部６５は、改質用燃料残量取得部６８で取得した改質用燃料残量が所定量以下で、且つ、バッテリ１４４の電気残量が所定量よりも多い場合には供給量制限制御を行い、改質用燃料インジェクタ２５で噴射する改質用燃料の噴射量を減少させる。また、改質用燃料噴射量制御部６５は、改質用燃料残量が所定量以下の場合でも、バッテリ１４４の電気残量が所定量以下の場合には供給量制限制御は行わない。
【０１４８】
図１７−１は、実施例４に係る燃料改質装置を備えるエンジンの通常運転時における回転数とトルクとの関係を示す説明図である。同図における横軸はエンジン１の回転数を示しており、縦軸はエンジン１のトルクを示している。ハイブリッド装置１３８では、エンジン１の動力とモータ１４０の動力とを併用して車両１３５の駆動力としているため、車両１３５の走行時には、エンジン１とモータ１４０とでお互いに動力を補うことができる。このため、ハイブリッド装置１３８に備えられるエンジン１は、通常のエンジン１のように例えば低速走行時に車速に合わせて熱効率が低い回転数で運転をするようなことは不要になり、熱効率が高い領域で運転を続けることができる。
【０１４９】
即ち、エンジン１の通常運転中は、図１７−１に示すように、通常運転時のエンジン１の回転数とトルクとの状態を示す線である通常時動作線１６１は、熱効率の高さに応じて段階的に示した等高線である熱効率等高線１６３の中央付近を通る。つまり、熱効率等高線１６３は、熱効率の高さごとに複数の環状の線によって段階的に表示されており、熱効率等高線１６３によって区分けされる範囲の外側から内側に向かうに従って熱効率が高くなっている。このため、熱効率は、熱効率等高線１６３の中心付近が最も高くなっているが、通常時動作線１６１は、この熱効率等高線１６３の中心付近を通り、トルクの大きさが一定に近い状態で示されている。即ち、通常運転中におけるエンジン１は、熱効率が高い状態で運転している。
【０１５０】
しかし、バッテリ１４４の電気残量が所定量以下の場合には、エンジン１に充電運転を行わせ、エンジン１の動力を通常運転時よりも増加させる。即ち、エンジン１のトルクを増加して運転させる。このため、充電運転時におけるエンジン１の回転数とトルクとの状態を示す線である充電時動作線１６２は、図１７−１に示すように、通常時動作線１６１と比較して全体的にトルクが上昇するが、トルクが通常時動作線１６１と比較して全体的に上昇した場合、熱効率等高線１６３から外れる。従って、充電運転時におけるエンジン１の熱効率は、通常運転時におけるエンジン１の熱効率と比較して悪くなる。このように、エンジン１の充電運転時には熱効率が悪化するため、通常運転時と比較して燃費が悪化する。
【０１５１】
図１７−２は、実施例４に係る燃料改質装置を備えるエンジンの充電運転時における回転数とトルクとの関係を示す説明図である。エンジン１の充電運転時には、通常運転時と比較してトルクを増加して運転するため、通常運転時と比較して熱効率が悪くなるが、改質用燃料を噴射して改質ガスをエンジン１に供給した場合、熱効率が高くなる運転状態が、通常運転時と比較してトルクが大きくなる状態の方向に移動する。つまり、改質ガスは主燃料よりも発熱量が高いためトルクが大きくなり易くなっており、熱効率が高くなる運転状態は、通常運転時よりもトルクが大きい運転状態になる。このため、改質ガスを噴射し、改質ガスをエンジン１に供給した場合には、熱効率等高線１６３は、図１７−２に示すようにトルクが大きくなる方向に移動する。
【０１５２】
また、充電運転時は、通常運転時よりもトルクが大きくなるため、通常時動作線１６１よりもトルクが大きい状態で示される充電時動作線１６２は、図１７−２に示すように、改質ガスを噴射することによりトルクが大きくなる方向に移動した熱効率等高線１６３と重なる。即ち、エンジン１の充電運転時は通常運転時よりもトルクが大きくなるが、改質用燃料を噴射することにより熱効率が高くなる運転状態が、トルクが大きくなる状態の方向に移動するため、充電運転時の運転状態は、熱効率が高い運転状態になる。これにより、充電運転を行う場合には、改質用燃料を噴射することにより熱効率が高い状態で運転することができるため、燃費が向上し易くなる。
【０１５３】
このように、エンジン１の充電運転を行う場合には、改質用燃料を噴射することにより燃費が向上し易くなる。このため、改質用燃料残量が所定量以下の場合でも、バッテリ１４４の電気残量が少ない場合には改質用燃料を噴射することにより、トルクが大きくなる充電運転中に改質ガスを供給して燃費の向上を図ることができ、より大きな改質効果を得ることができる。
【０１５４】
図１８は、実施例４に係る燃料改質装置の処理手順を示すフロー図である。次に、実施例４に係る燃料改質装置１３０の制御方法、即ち、当該燃料改質装置１３０の処理手順について説明する。実施例４に係る燃料改質装置１３０の処理手順では、まず、排気温度センサ３７での検出結果より、ＥＣＵ１５０の処理部６１が有する排気温度取得部６９で排気温度を取得する（ステップＳＴ４０１）。次に、改質用燃料残量センサ５７での検出結果より、ＥＣＵ１５０の処理部６１が有する改質用燃料残量取得部６８で改質用燃料残量を取得する（ステップＳＴ４０２）。
【０１５５】
次に、改質用燃料残量取得部６８で取得した改質用燃料残量と記憶部７５に記憶されたＱｆｕｅｌとをＥＣＵ１５０の処理部６１が有する改質用燃料残量判定部７０で比較し、この改質用燃料残量判定部７０で改質用燃料残量＞Ｑｆｕｅｌであるかを判定する（ステップＳＴ４０３）。改質用燃料残量判定部７０での判定（ステップＳＴ４０３）により、改質用燃料残量はＱｆｕｅｌよりも多いと判定された場合には、ＥＣＵ１５０の処理部６１が有する改質用燃料噴射量制御部６５で、改質基準温度を記憶部７５に記憶された改質可能排気温度にする（ステップＳＴ４０４）。
【０１５６】
次に、改質基準温度以上の領域で、改質用燃料を噴射する（ステップＳＴ４０５）。つまり、改質用燃料噴射量制御部６５で改質用燃料インジェクタ２５を制御し、排気温度取得部６９で取得した排気温度が改質基準温度以上の場合に改質用燃料を噴射し、改質ガスを生成する。改質用燃料を噴射する制御を行った後は、この処理手順から抜け出る。
【０１５７】
これに対し、改質用燃料残量判定部７０での判定（ステップＳＴ４０３）により、改質用燃料残量はＱｆｕｅｌ以下であると判定された場合には、次にバッテリ１４４の電気残量を取得する（ステップＳＴ４０６）。この取得は、ＥＣＵ１５０の処理部６１が有する電気残量取得部１５１で行う。ＥＣＵ１５０は、バッテリ１４４に接続されているため、バッテリ１４４から供給される電気の状態より、電気残量取得部１５１でバッテリ１４４の電気残量を取得する。
【０１５８】
次に、電気残量＞Ｅｃｈａｒｇｅであるかを判定する（ステップＳＴ４０７）。この判定は、電気残量取得部１５１で取得した電気残量が、当該電気残量が多いか少ないかを判定する所定量であるＥｃｈａｒｇｅより多いか否かを、ＥＣＵ１５０の処理部６１が有する電気残量判定部１５２で判定する。この判定を行う際には、電気残量取得部１５１で取得した電気残量が電気残量判定部１５２に伝達され、電気残量判定部１５２で電気残量とＥｃｈａｒｇｅとを比較する。なお、この判定に用いるＥｃｈａｒｇｅは、バッテリ１４４に充電されている電気残量が十分であるか否かを判断する所定量として、予めＥＣＵ１５０の記憶部７５に記憶されている。
【０１５９】
電気残量判定部１５２での判定（ステップＳＴ４０７）により、電気残量はＥｃｈａｒｇｅよりも多いと判定された場合には、改質用燃料噴射量制御部６５で、改質基準温度を記憶部７５に記憶された高改質効果排気温度にする（ステップＳＴ４０８）。
【０１６０】
改質基準温度を高改質効果排気温度にした後は、改質基準温度を改質可能排気温度にした場合と同様に、排気温度が改質基準温度以上の領域で改質用燃料を噴射する（ステップＳＴ４０５）。つまり、改質用燃料残量がＱｆｕｅｌ以下で、且つ、バッテリ１４４の電気残量がＥｃｈａｒｇｅより多い場合には、改質基準温度を高改質効果排気温度にして、改質用燃料残量がＱｆｕｅｌより多い場合と比較して改質用燃料インジェクタ２５で噴射する改質用燃料の噴射量を減少させつつ改質ガスを気筒５内で燃焼させることによる改質効果が高い領域で改質用燃料を噴射する制御である供給量制限制御を行う。換言すると、バッテリ１４４の電気残量がＥｃｈａｒｇｅより多い場合には充電制御を行わないため、改質用燃料噴射量制御部６５は、改質用燃料残量がＱｆｕｅｌ以下で、且つ、エンジン１が充電運転を行わない場合には、供給量制限制御を行う。
【０１６１】
これに対し、電気残量判定部１５２での判定（ステップＳＴ４０７）により、電気残量はＥｃｈａｒｇｅ以下であると判定された場合には、改質用燃料噴射量制御部６５で、改質基準温度をＥＣＵ１５０に記憶された改質可能排気温度にし（ステップＳＴ４０４）、排気温度が改質基準温度以上の領域で改質用燃料を噴射する（ステップＳＴ４０５）。
【０１６２】
つまり、改質用燃料残量がＱｆｕｅｌ以下の場合でも、バッテリ１４４の電気残量がＥｃｈａｒｇｅ以下の場合には、改質基準温度を改質可能排気温度にする。これにより、改質用燃料噴射量制御部６５は供給量制限制御を行わずに、改質用燃料残量がＱｆｕｅｌより多い場合と同様に改質用燃料を噴射し、改質ガスを生成してエンジン１に改質ガスを供給する。換言すると、バッテリ１４４の電気残量がＥｃｈａｒｇｅ以下の場合には充電運転を行うため、改質用燃料噴射量制御部６５は、改質用燃料残量がＱｆｕｅｌ以下で、且つ、エンジン１が充電運転を行う場合には、供給量制限制御を行わない。
【０１６３】
以上の燃料改質装置１３０は、改質用燃料残量が所定量であるＱｆｕｅｌ以下で、且つ、エンジン１が充電運転を行わない場合には、改質基準温度を高改質効果排気温度にすることにより改質用燃料の噴射量を減少させるため、エンジン１運転時の長時間に渡って改質ガスを生成することができる。また、この場合には、改質効果が高い領域で改質用燃料を噴射するため、改質用燃料の噴射量を減少させた場合でも、エンジン１に改質ガスを供給することによる改質効果を維持することができ、エンジン１の運転時に改質ガスを供給する場合におけるトータルの燃費の向上を図ることができる。
【０１６４】
また、改質用燃料残量がＱｆｕｅｌ以下で、且つ、エンジン１が充電運転を行う場合には、供給量制限制御を行わないため、熱効率が低い状態での燃費を向上させることができる。つまり、エンジン１の運転は、通常運転時に熱効率が高くなるように制御されるが、充電運転時には、通常運転時よりも多くの発電を行う必要があるため、通常運転時よりも大きなトルクを出力する状態で運転する。このため、充電運転時の熱効率は、通常運転時よりも熱効率が低くなる。また、改質ガスをエンジン１に供給した場合には、熱効率が高くなる運転状態がトルクが大きくなる状態の方向に移動するため、エンジン１の充電運転時に改質ガスを供給することにより、充電運転を熱効率が良い状態にすることができる。このため、充電運転時には改質用燃料を噴射することにより、改質ガスを供給することによる改質効果が、通常運転時よりも高くなる。また、このように熱効率が低くなる充電運転時には供給量制限制御を行わずに、改質用燃料を噴射し続けて充電運転時の熱効率を高くすることにより、熱効率が低い運転状態で運転することによる燃費の悪化などを抑制できる。この結果、より確実にエンジン１の運転時に改質ガスを供給する場合におけるトータルの燃費の向上を図ることができる。
【実施例５】
【０１６５】
実施例５に係る燃料改質装置１７０は、実施例３に係る燃料改質装置１１０と略同様の構成であるが、供給量制限制御を行うか否かの判定を行う際に、主燃料残量に対する改質用燃料残量の割合が所定値以下の場合に供給量制限制御を行うことも含めて判定する点に特徴がある。他の構成は実施例３と同様なので、その説明を省略すると共に、同一の符号を付す。図１９は、実施例５に係る燃料改質装置の要部構成図である。実施例５に係る燃料改質装置１７０は、実施例３に係る燃料改質装置１１０と同様にエンジン１に備えられており（図１１参照）、排気通路２０は、改質用燃料インジェクタ２５が設けられた改質用通路２２を有している。また、排気通路２０には、浄化触媒３１及び改質触媒３２を内設すると共にＥＧＲガス通路４０が接続された触媒部３０が設けられており、触媒部３０に接続されたＥＧＲガス通路４０は、触媒部３０に接続されている側の端部の反対側に位置する端部が吸気通路１０に接続されている。また、ＥＧＲガス通路４０には、当該ＥＧＲガス通路４０内を開閉可能なＥＧＲガス流量調整バルブ４２が設けられている。また、エンジン１が有する複数の気筒５にはノックセンサ１１５が設けられており、ノックセンサ１１５はＥＣＵ１８０に接続されている。
【０１６６】
また、この実施例５に係る燃料改質装置１７０が有するＥＣＵ１８０は、実施例３に係る燃料改質装置１１０が有するＥＣＵ１２０と同様に処理部６１と記憶部７５と入出力部７６とを有している。このうち、処理部６１は、少なくともスロットルバルブ制御部６２と、吸入空気量取得部６３と、主燃料噴射量制御部６４と、改質用燃料噴射量制御部６５と、ＥＧＲガス流量調整バルブ制御部６６と、主燃料残量取得部６７と、改質用燃料残量取得部６８と、排気温度取得部６９と、改質用燃料残量判定部７０と、ノック取得部１２１と、ノック域判定部１２２とを有している。
【０１６７】
さらに、この処理部６１は、主燃料残量取得部６７で取得した主燃料残量と改質用燃料残量取得部６８で取得した改質用燃料残量とより主燃料残量に対する改質用燃料残量の割合である燃料残量割合を算出する燃料残量割合算出手段である燃料残量割合算出部１８１と、燃料残量割合算出部１８１で算出した燃料残量割合が所定値よりも多いか否かを判定する燃料残量割合判定手段である燃料残量割合判定部１８２と、を有している。
【０１６８】
この実施例５に係る燃料改質装置１７０は、以上のごとき構成からなり、以下、その作用について説明する。実施例５に係る燃料改質装置１７０を備えるエンジン１の運転時の基本的な作用は、上述した実施例３に係る燃料改質装置１１０等と同様な作用をする。即ち、エンジン１の気筒５内で主燃料と空気との混合気を燃焼し、燃焼後の排気ガスの熱によって浄化触媒３１の温度を上昇させる。さらに、改質用燃料を噴射した排気ガスを、浄化触媒３１と一体になって設けられた改質触媒３２に流すことにより、改質ガスを生成する。
【０１６９】
改質触媒３２で生成された改質ガスはＥＧＲガスとして吸気通路１０に流れ、吸気通路１０を流れる空気と主燃料との混合気と共にエンジン１に吸入される。改質ガスを含む混合気がエンジン１に吸入された場合、改質ガスは混合気中の燃料と共にエンジン１の気筒５内で燃焼する。これにより、インジェクタ１１から噴射する主燃料の噴射量を低減させることができる。
【０１７０】
また、エンジン１の運転中は、主燃料残量センサ５３での検出結果より、主燃料残量を主燃料残量取得部６７で取得し、改質用燃料残量センサ５７での検出結果より、改質用燃料残量を改質用燃料残量取得部６８で取得する。
【０１７１】
改質用燃料噴射量制御部６５は、改質用燃料残量取得部６８で取得した改質用燃料残量が所定量以下で、且つ、主燃料残量に対する改質用燃料残量の割合が所定量以下の場合には供給量制限制御を行い、改質用燃料インジェクタ２５で噴射する改質用燃料の噴射量を減少させる。
【０１７２】
図２０は、実施例５に係る燃料改質装置の処理手順を示すフロー図である。次に、実施例５に係る燃料改質装置１７０の制御方法、即ち、当該燃料改質装置１７０の処理手順について説明する。実施例５に係る燃料改質装置１７０の処理手順では、まず、改質用燃料残量センサ５７での検出結果より、ＥＣＵ１８０の処理部６１が有する改質用燃料残量取得部６８で改質用燃料残量を取得する（ステップＳＴ５０１）。次に、主燃料残量を取得する（ステップＳＴ５０２）。この取得は、主燃料残量センサ５３で検出する主燃料タンク５１内の主燃料の貯留量である主燃料残量の検出結果が、ＥＣＵ１８０の処理部６１が有する主燃料残量取得部６７に伝達され、主燃料残量取得部６７で取得する。
【０１７３】
次に、燃料残量割合を算出する（ステップＳＴ５０３）。この算出は、主燃料残量取得部６７で取得した主燃料残量と、改質用燃料残量取得部６８で取得した改質用燃料残量とが、ＥＣＵ１８０の処理部６１が有する燃料残量割合算出部１８１に伝達され、この燃料残量割合算出部１８１で、主燃料残量に対する改質用燃料残量の割合である燃料残量割合を算出する。即ち、燃料残量割合は、（改質用燃料残量／主燃料残量）になっている。
【０１７４】
次に、燃料残量割合＞Ｘｆｕｅｌであるかを判定する（ステップＳＴ５０４）。この判定は、燃料残量割合算出部１８１で算出した燃料残量割合が、当該燃料残量割合が多いか少ないかを判定する所定量であるＸｆｕｅｌより多いか否かを、ＥＣＵ１８０の処理部６１が有する燃料残量割合判定部１８２で判定する。この判定を行う際には、燃料残量割合算出部１８１で算出した燃料残量割合が燃料残量割合判定部１８２に伝達され、燃料残量割合判定部１８２で燃料残量割合とＸｆｕｅｌとを比較する。なお、この判定に用いるＸｆｕｅｌは、主燃料残量に対する改質用燃料残量の割合が十分であるか否かを判断する所定量として、予めＥＣＵ１８０の記憶部７５に記憶されている。
【０１７５】
燃料残量割合判定部１８２での判定（ステップＳＴ５０４）により、燃料残量割合はＸｆｕｅｌよりも多いと判定された場合には、改質用燃料の噴射を通常制御する（ステップＳＴ５０５）。この制御は、記憶部７５に記憶された、エンジン１の通常の運転時における噴射量で改質用燃料を改質用燃料インジェクタ２５から噴射できるように、ＥＣＵ１８０の処理部６１が有する改質用燃料噴射量制御部６５で改質用燃料インジェクタ２５を制御することにより行う。これにより、改質用燃料インジェクタ２５は通常の噴射量で改質用燃料を噴射する。改質用燃料を噴射する制御を行った後は、この処理手順から抜け出る。
【０１７６】
これに対し、燃料残量割合判定部１８２での判定（ステップＳＴ５０４）により、燃料残量割合はＸｆｕｅｌ以下であると判定された場合には、ノックセンサ１１５での検出結果より、ＥＣＵ１８０の処理部６１が有するノック取得部１２１でノッキング状態を取得する（ステップＳＴ５０６）。次に、ノック取得部１２１で取得したノッキング状態より、ＥＣＵ１８０の処理部６１が有するノック域判定部１２２で、エンジン１はノック域で運転中であるかを判定する（ステップＳＴ５０７）。
【０１７７】
ノック域判定部１２２での判定（ステップＳＴ５０７）により、エンジン１はノック域で運転中であると判定された場合には、改質用燃料噴射量制御部６５で改質用燃料インジェクタ２５を制御し、改質用燃料を噴射する（ステップＳＴ５０８）。改質用燃料を噴射する制御を行った後は、この処理手順から抜け出る。
【０１７８】
これに対し、ノック域判定部１２２での判定（ステップＳＴ５０７）により、エンジン１はノック域で運転中ではない、即ち、非ノック域で運転中であると判定された場合には、改質用燃料噴射量制御部６５で改質用燃料インジェクタ２５を制御し、改質用燃料の噴射を停止する（ステップＳＴ５０９）。改質用燃料の噴射を停止する制御を行った後は、この処理手順から抜け出る。
【０１７９】
以上の燃料改質装置１７０は、供給量制限制御を行うか否かの判定を行う際に、主燃料残量に対する改質用燃料残量の割合である燃料残量割合を含めて判定している。つまり、上述した発明における供給量制限制御を、さらに燃料残量割合が所定値であるＸｆｕｅｌよりも大きい場合には、供給量制限制御を行わないものとしている。改質用燃料残量が少ない場合でも、主燃料残量も少ない場合には、改質用燃料と主燃料とは、同程度の時期に無くなるため、主燃料残量が少ない場合には改質用燃料を噴射し続けた場合でも、改質用燃料が主燃料よりも先に無くなり難くなる。このため、改質用燃料残量が少ない場合でも主燃料残量も少ない場合には、改質用燃料を噴射し続けた場合でも、改質ガスが生成されない状態でエンジン１を運転する状態になることを抑制できる。従って、改質用燃料残量が少なくなった場合でも主燃料残量も少ない場合には、改質用燃料を噴射することにより、改質効果を得る時間が長くなる。この結果、より確実にエンジン１の運転時に改質ガスを供給する場合におけるトータルの燃費の向上を図ることができる。
【０１８０】
なお、実施例４に係る燃料改質装置１３０は、ハイブリッド装置１３８が有するエンジン１に、実施例１に係る燃料改質装置３が備えられた形態になっているが、ハイブリッド装置１３８が有するエンジン１に備えられる燃料改質装置は実施例１に係る燃料改質装置３以外の燃料改質装置でもよい。例えば、実施例２に係る燃料改質装置９０が、ハイブリッド装置１３８が有するエンジン１に備えられていてもよい。ハイブリッド装置１３８が有するエンジン１に備えられる燃料改質装置は、改質用燃料残量が所定量であるＱｆｕｅｌ以下の場合でもバッテリ１４４の電気残量がＥｃｈａｒｇｅ以下の場合には改質用燃料の噴射を通常制御するように設けられていれば、その形態は問わない。
【０１８１】
同様に、実施例５に係る燃料改質装置１７０は、実施例３に係る燃料改質装置１１０で供給量制限制御を行うか否かの判定に、主燃料残量に対する改質用燃料残量の割合である燃料残量割合も含めて判定しているが、燃料残量割合を含めて供給量制限制御を行うか否かの判定をする燃料改質装置は、実施例３に係る燃料改質装置１１０でもよい。
【０１８２】
また、上述した燃料改質装置では、ＥＧＲガス通路４０と改質用通路２２とは、排気主通路２１内を流れる排気ガスの流れ方向に対して略直交する方向で触媒部３０に接続されているが、ＥＧＲガス通路４０と改質用通路２２とは、これ以外の形態で配設されていてもよい。例えば、ＥＧＲガス通路４０と改質用通路２２とは、改質用通路２２から触媒部３０内に流れ、さらにＥＧＲガス通路４０に流れる排気ガスや改質ガスの流れが、排気主通路２１内を流れる排気ガスの流れ方向に向流するように形成されていてもよい。ＥＧＲガス通路４０と改質用通路２２とは、改質用燃料が供給された改質用通路２２内の排気ガスが触媒部３０内の改質触媒３２に流れて改質触媒３２で改質ガスを生成し、この改質ガス及び排気ガスがＥＧＲガス通路４０に流れるように設けられていれば、その形態は問わない。
【０１８３】
また、上述した燃料改質装置を備えるエンジン１の運転に用いられる燃料である主燃料は、ガソリンとアルコール燃料とが混合された混合燃料になっており、改質触媒３２で改質される改質用燃料は、アルコール燃料となっているが、主燃料や改質用燃料は、これら以外の燃料でもよい。主燃料と改質用燃料とが、それぞれ別々に貯留されている場合、主燃料よりも先に改質用燃料が消費される虞があるため、このような形態の燃料改質装置の場合には、燃料の種類に限らず本発明を適用することにより、主燃料よりも先に改質用燃料が無くなることを抑制でき、エンジン１の運転時の長時間に渡って改質効果を維持することができる。
【産業上の利用可能性】
【０１８４】
以上のように、本発明に係る燃料改質装置は、改質ガスを排気ガスと共に内燃機関に吸気させる燃料改質装置に有用であり、特に、エンジンの運転に用いる主燃料と改質ガスの生成に用いる改質用燃料とが別々に貯留されている場合に適している。
【図面の簡単な説明】
【０１８５】
【図１】実施例１に係る燃料改質装置を備えるエンジンの全体構成図である。
【図２】図１に示す燃料改質装置の要部構成図である。
【図３】実施例１に係る燃料改質装置で供給量制限制御を行う場合の排気温度と燃費向上効果との関係を示す説明図である。
【図４】実施例１に係る燃料改質装置の処理手順を示すフロー図である。
【図５】燃費の比較を行う場合におけるエンジンの運転モードの説明図である。
【図６】供給量制限制御を行う場合と供給量制限制御を行わない場合との燃費の比較の説明図である。
【図７】実施例２に係る燃料改質装置の要部構成図である。
【図８】実施例２に係る燃料改質装置で供給量制限制御を行う場合の改質用燃料噴射量と燃費との関係を示す説明図である。
【図９】実施例２に係る燃料改質装置の処理手順を示すフロー図である。
【図１０】供給量制限制御を行う場合と供給量制限制御を行わない場合との燃費の比較の説明図である。
【図１１】実施例３に係る燃料改質装置を備えるエンジンの全体構成図である。
【図１２】実施例３に係る燃料改質装置の要部構成図である。
【図１３】実施例３に係る燃料改質装置で供給量制限制御を行う場合の改質用燃料噴射量と燃費との関係を示す説明図である。
【図１４】実施例３に係る燃料改質装置の処理手順を示すフロー図である。
【図１５】実施例４に係る燃料改質装置を備えるエンジンを搭載する車両の要部概略図である。
【図１６】実施例４に係る燃料改質装置の要部構成図である。
【図１７−１】実施例４に係る燃料改質装置を備えるエンジンの通常運転時における回転数とトルクとの関係を示す説明図である。
【図１７−２】実施例４に係る燃料改質装置を備えるエンジンの充電運転時における回転数とトルクとの関係を示す説明図である。
【図１８】実施例４に係る燃料改質装置の処理手順を示すフロー図である。
【図１９】実施例５に係る燃料改質装置の要部構成図である。
【図２０】実施例５に係る燃料改質装置の処理手順を示すフロー図である。
【符号の説明】
【０１８６】
１  エンジン
３、９０、１１０、１３０、１７０  燃料改質装置
５  気筒
１０  吸気通路
１１  インジェクタ
１２  スロットルバルブ
２０  排気通路
２１  排気主通路
２２  改質用通路
２５  改質用燃料インジェクタ
３０  触媒部
３１  浄化触媒
３２  改質触媒
３７  排気温度センサ
４０  ＥＧＲガス通路
４２  ＥＧＲガス流量調整バルブ
５１  主燃料タンク
５３  主燃料残量センサ
５５  改質用燃料タンク
５７  改質用燃料残量センサ
６０、１２０、１５０、１８０  ＥＣＵ
６１  処理部
６２  スロットルバルブ制御部
６３  吸入空気量取得部
６４  主燃料噴射量制御部
６５  改質用燃料噴射量制御部
６６  ＥＧＲガス流量調整バルブ制御部
６７  主燃料残量取得部
６８  改質用燃料残量取得部
６９  排気温度取得部
７０  改質用燃料残量判定部
７５  記憶部
１１５  ノックセンサ
１２１  ノック取得部
１２２  ノック域判定部
１３８  ハイブリッド装置
１４０  モータ
１４４  バッテリ
１５１  電気残量取得部
１５２  電気残量判定部
１８１  燃料残量割合算出部
１８２  燃料残量割合判定部
【図１】
2009138570.tif 000003
【図２】
2009138570.tif 000004
【図３】
2009138570.tif 000005
【図４】
2009138570.tif 000006
【図５】
2009138570.tif 000007
【図６】
2009138570.tif 000008
【図７】
2009138570.tif 000009
【図８】
2009138570.tif 000010
【図９】
2009138570.tif 000011
【図１０】
2009138570.tif 000012
【図１１】
2009138570.tif 000013
【図１２】
2009138570.tif 000014
【図１３】
2009138570.tif 000015
【図１４】
2009138570.tif 000016
【図１５】
2009138570.tif 000017
【図１６】
2009138570.tif 000018
【図１７−１】
2009138570.tif 000019
【図１７−２】
2009138570.tif 000020
【図１８】
2009138570.tif 000021
【図１９】
2009138570.tif 000022
【図２０】
2009138570.tif 000023